(57)【要約】      （修正有）【課題】エタノールを実質的に含まず、許容可能な又は優れた製品性能を提供し、かつ目詰まり傾向の低いエアロゾルヘアスプレー製品を提供する。【解決手段】リザーバは、約４０％〜約７０％のヘアスタイリング配合物、及び約３０％〜約６０％のジメチルエーテル噴射剤を含む。ヘアスタイリング配合物は、水、１つ又は２つ以上のヘアスタイリングポリマー、及び約０．０５％〜約２％のアルコールを含む。スプレー装置は容器に取り付けられる。スプレー装置はバルブ１３０を含み、バルブはバルブハウジング１４０を含み、バルブハウジングは蒸気タップ１６０を含み、蒸気タップは蒸気タップ領域を含む。ディップチューブ１７０はバルブと接続される。ディップチューブは、ディップチューブ開口部領域を含むディップチューブ開口部を含む。蒸気タップ領域とディップチューブ開口部領域との比は、約０．００５〜約０．１５である。【選択図】図１
2020059554.tif 000002
【特許請求の範囲】
【請求項１】
ｉ．リザーバ（１２０）を封入する容器壁部（１１０）を備える容器（１００）であって、前記リザーバ（１２０）は、ヘアスタイリング配合物及びジメチルエーテル噴射剤の総重量の４０重量％〜７０重量％の前記ヘアスタイリング配合物、及び３０重量％〜６０重量％の前記ジメチルエーテル噴射剤を含み、
ｉｉ．前記ヘアスタイリング配合物が、
（ａ）前記ヘアスタイリング配合物及び前記ジメチルエーテル噴射剤の総重量の３０重量％〜６０重量％の水と、
（ｂ）前記ヘアスタイリング配合物及び前記ジメチルエーテル噴射剤の総重量の５重量％〜１５重量％の１つ又は２つ以上のヘアスタイリングポリマーであって、前記ヘアスタイリングポリマーが水溶性であり、かつ２００，０００ｇ／ｍｏｌ未満の分子量を有する、ヘアスタイリングポリマーと、
（ｃ）前記ヘアスタイリング配合物及び前記ジメチルエーテル噴射剤の総重量の０．０５重量％〜２重量％のアルコールと、を含み、かつ
（ｄ）エタノールを実質的に含まず、
前記ヘアスタイリング配合物が２．５ｍｍ２／秒〜５．５ｍｍ２／秒（２．５ｃＳｔ〜５．５ｃＳｔ）の粘度を有する、容器（１００）と、
ｉｉｉ．前記容器（１００）の前記リザーバ（１２０）から前記ヘアスタイリング配合物（１８０）を分配するために前記容器（１００）に取り付けられたスプレー装置（２００）であって、
前記スプレー装置（２００）が前記リザーバ（１２０）と流体接続し、
前記スプレー装置（２００）がスプレー作動装置（１５０）及びバルブ（１３０）を備え、
前記バルブ（１３０）がバルブハウジング（１４０）を備え、
前記バルブハウジング（１４０）が蒸気タップ（１６０）を備え、
前記蒸気タップ（１６０）が蒸気タップ領域を備え、
ディップチューブ（１７０）が前記バルブ（１３０）と流体接続し、
前記ディップチューブ（１７０）がディップチューブ開口部（１７５）を備え、
前記ディップチューブ開口部（１７５）がディップチューブ開口部領域を備え、
前記蒸気タップ領域と前記ディップチューブ開口部領域との比が０．００５〜０．１５であるスプレー装置（２００）と、を備える、エアロゾルヘアスプレー製品。
【請求項２】
前記１つ又は２つ以上のヘアスタイリングポリマーは、アクリル酸又はメタクリル酸のうちの少なくとも１つのモノマー、及びアクリレートの少なくとも１つのエステルを含有するアクリレートをベースとする系を含む、請求項１に記載のエアロゾルヘアスプレー製品。
【請求項３】
前記１つ又は２つ以上のヘアスタイリングポリマーは、アクリル酸又はメタクリル酸のうちの少なくとも１つのモノマー、アクリレートの少なくとも１つのエステル、及びポリウレタンを含有するアクリレートをベースとする系を含む、請求項１又は２に記載のエアロゾルヘアスプレー製品。
【請求項４】
前記蒸気タップ領域と前記ディップチューブ開口部領域との比が０．００６〜０．１２５、好ましくは０．００７〜０．１、より好ましくは０．００８〜０．０９、より好ましくは０．００９〜０．０８、より好ましくは０．００９５〜０．０７である、請求項１〜３のいずれか一項に記載のエアロゾルヘアスプレー製品。
【請求項５】
前記蒸気タップ領域と前記ディップチューブ開口部領域との比が、０．０６３又は０．０１１である、請求項１〜４のいずれか一項に記載のエアロゾルヘアスプレー製品。
【請求項６】
前記ヘアスタイリング配合物が、前記ヘアスタイリング配合物及び前記ジメチルエーテル噴射剤の総重量の３５重量％〜５５重量％の前記ジメチルエーテル噴射剤を含む、請求項１〜５のいずれか一項に記載のエアロゾルヘアスプレー製品。
【請求項７】
前記ヘアスタイリング配合物が、前記ヘアスタイリング配合物及び前記ジメチルエーテル噴射剤の総重量の４０重量％〜５０重量％の前記ジメチルエーテル噴射剤を含む、請求項１〜６のいずれか一項に記載のエアロゾルヘアスプレー製品。
【請求項８】
前記ヘアスタイリング配合物が、前記ヘアスタイリング配合物及び前記ジメチルエーテル噴射剤の総重量の３５重量％〜６０重量％の前記水を含む、請求項１〜７のいずれか一項に記載のエアロゾルヘアスプレー製品。
【請求項９】
前記ヘアスタイリング配合物が、前記ヘアスタイリング配合物及び前記ジメチルエーテル噴射剤の総重量の３９重量％〜５４重量％の前記水を含む、請求項１〜８のいずれか一項に記載のエアロゾルヘアスプレー製品。
【請求項１０】
前記ヘアスタイリング配合物が、前記ヘアスタイリング配合物及び前記ジメチルエーテル噴射剤の総重量の５重量％〜８重量％の前記１つ又は２つ以上のヘアスタイリングポリマーを含む、請求項１〜９のいずれか一項に記載のエアロゾルヘアスプレー製品。
【請求項１１】
前記ヘアスタイリング配合物が、前記ヘアスタイリング配合物及び前記ジメチルエーテル噴射剤の総重量の５．８重量％〜７．４重量％の前記１つ又は２つ以上のヘアスタイリングポリマーを含む、請求項１〜１０のいずれか一項に記載のエアロゾルヘアスプレー製品。
【請求項１２】
前記ヘアスタイリング配合物の粘度が、３ｍｍ２／秒〜５ｍｍ２／秒（３ｃＳｔ〜５ｃＳｔ）である、請求項１に記載のエアロゾルヘアスプレー製品。
【請求項１３】
前記ヘアスタイリング配合物が０％の前記エタノールを含む、請求項１〜１２のいずれか一項に記載のエアロゾルヘアスプレー製品。
【請求項１４】
前記バルブハウジングが２つ以上の蒸気タップを含まない、請求項１〜１３のいずれか一項に記載のエアロゾルヘアスプレー製品。
【請求項１５】
（ａ）エアロゾルヘアスプレー製品を提供することであって、
１）リザーバ（１２０）を封入する容器壁部（１１０）を備える容器（１００）であって、前記リザーバ（１２０）は、ヘアスタイリング配合物及びジメチルエーテル噴射剤の総重量の４０重量％〜７０重量％の前記ヘアスタイリング配合物、及び３０重量％〜６０重量％の前記ジメチルエーテル噴射剤を含み、
２）前記ヘアスタイリング配合物が、
ｉ．前記ヘアスタイリング配合物及び前記ジメチルエーテル噴射剤の総重量の３０重量％〜６０重量％の水と、
ｉｉ．前記ヘアスタイリング配合物及び前記ジメチルエーテル噴射剤の総重量の５重量％〜１５重量％のヘアスタイリングポリマーであって、前記ヘアスタイリングポリマーが水溶性であり、かつ２００，０００ｇ／ｍｏｌ未満の分子量を有する、ヘアスタイリングポリマーと、
ｉｉｉ．前記ヘアスタイリング配合物及び前記ジメチルエーテル噴射剤の総重量の０．０５重量％〜２重量％のアルコールと、を含み、かつ
ｉｖ．エタノールを実質的に含まず、
前記ヘアスタイリング配合物が２．５ｍｍ２／秒〜５．５ｍｍ２／秒（２．５ｃＳｔ〜５．５ｃＳｔ）の粘度を有する、容器（１００）と、
３）前記容器（１００）の前記リザーバ（１２０）から前記ヘアスタイリング配合物（１８０）を分配するために前記容器（１００）に取り付けられたスプレー装置（２００）であって、
前記スプレー装置（２００）が前記リザーバ（１２０）と流体接続し、
前記スプレー装置（２００）がスプレー作動装置（１５０）及びバルブ（１３０）を備え、
前記バルブ（１３０）がバルブハウジング（１４０）を備え、
前記バルブハウジング（１４０）が蒸気タップ（１６０）を備え、
前記蒸気タップ（１６０）が蒸気タップ領域を備え、
ディップチューブ（１７０）が前記バルブ（１３０）と流体接続し、
前記ディップチューブ（１７０）がディップチューブ開口部（１７５）を備え、
前記ディップチューブ開口部（１７５）がディップチューブ開口部領域を備え、
前記蒸気タップ領域と前記ディップチューブ開口部領域との比が０．００５〜０．１５である、スプレー装置（２００）と、を含む、ことと、
（ｂ）前記エアロゾルヘアスプレー製品をある送出量で噴霧させることであって、前記送出量が０．３０ｇ／秒〜０．５０ｇ／秒であり、放出される組成物が噴霧され、前記放出される組成物が４０マイクロメートル〜１００マイクロメートルのＤｖ５０液滴粒径及び１６０マイクロメートル〜３００マイクロメートルのＤｖ９０液滴粒径を有する粒子を含む、ことと、を含むヘアスタイリング法。
【発明の詳細な説明】
【技術分野】
【０００１】
エタノールを実質的に含まず、ジメチルエーテル噴射剤を含み、蒸気タップ面積とディップチューブ面積との比が約０．０００５〜約０．１５であるエアロゾルヘアスプレー製品が本明細書で説明される。
【背景技術】
【０００２】
ヘアスプレー等のヘアスタイリング製品は、様々なヘアスタイルを達成し、ある期間、毛髪の房を適所に保持するために使用される。一般的には、ヘアスプレーは、ヒトの毛髪などのケラチン含有繊維に塗布すると繊維間接合部を形成する膜形成ポリマーを含む。これらの接合部は、繊維をまとめて「接着」させてヘアスタイルを保持する。
【０００３】
通常、エアロゾルヘアスプレー製品は、耐圧容器、ノズル、噴射剤、及びヘアスタイリング配合物を含む。通常、ヘアスプレー組成物は、こうした製品からエアロゾル形成ノズルを介して放出される。アルコールは、例えば、表面張力を低減させるために、ヘアスタイリング配合物中に通常用いられる。しかしながら、高比率のアルコールは、毛髪の乾燥を感じさせ、傷みやすくさせる場合があり、一部のアルコールは、一部のユーザにアレルギー反応を起こす場合がある。更に、エタノールは、環境中に堆積して環境問題を生じさせ得る揮発性有機化合物である。更に、エタノールは可燃性である。
【発明の概要】
【発明が解決しようとする課題】
【０００４】
したがって、より環境に優しく、よりサステイナブルであり、不快さが少なく、より手頃な価格のヘアスプレー製品に対するニーズが常に存在する。しかしながら、エアロゾルヘアスプレー製品の１つ又は２つ以上の特徴を変更することは、それらの間の相互関係が製品性能に影響を及ぼすため、困難であり得る。例えば、異なる噴射剤又は異なるスプレー装置を利用すると、パッケージ動作圧力が許容し得ない程に低下し、その結果、適用時に製品の湿潤度が増す場合があり、あるいは不要な目詰まりが起きる場合がある。
【０００５】
上記の内容に基づく、エタノールを実質的に含まず、許容可能な又は優れた製品性能を提供し、かつ目詰まり傾向の低いエアロゾルヘアスプレー製品へのニーズが存在する。
【課題を解決するための手段】
【０００６】
（ａ）リザーバ（１２０）を封入する容器壁部（１１０）を備える容器（１００）であって、リザーバ（１２０）は、ヘアスタイリング配合物及びジメチルエーテル噴射剤の総重量の約４０重量％〜約７０重量％のヘアスタイリング配合物、及び約３０重量％〜約６０重量％のジメチルエーテル噴射剤を含み、（ｂ）ヘアスタイリング配合物が、（１）ヘアスタイリング配合物及びジメチルエーテル噴射剤の総重量の約３０重量％〜約６０重量％の水と、（２）ヘアスタイリング配合物及びジメチルエーテル噴射剤の総重量の約５重量％〜約１５重量％の１つ又は２つ以上のヘアスタイリングポリマーであって、ヘアスタイリングポリマーが水溶性であり、かつ２００，０００ｇ／ｍｏｌ未満の分子量を有する、ヘアスタイリングポリマーと、（３）ヘアスタイリング配合物及びジメチルエーテル噴射剤の総重量の約０．０５重量％〜約２重量％のアルコールと、を含み、かつ（４）エタノールを実質的に含まず、ヘアスタイリング配合物が約２．５ｍｍ２／秒〜約５．５ｍｍ２／秒（約２．５ｃＳｔ〜約５．５ｃＳｔ）の粘度を有する、容器（１００）と、（ｃ）容器（１００）のリザーバ（１２０）からヘアスタイリング配合物を分配するために容器（１００）に取り付けられたスプレー装置（２００）であって、スプレー装置（２００）がリザーバ（１２０）と流体接続し、スプレー装置（２００）がスプレー作動装置（１５０）及びバルブ（１３０）を備え、バルブ（１３０）がバルブハウジング（１４０）を備え、バルブハウジング（１４０）が蒸気タップ（１６０）を備え、蒸気タップ（１６０）が蒸気タップ領域を備え、ディップチューブ（１７０）がバルブ（１３０）と流体接続し、ディップチューブ（１７０）がディップチューブ開口部（１７５）を備え、ディップチューブ開口部（１７５）がディップチューブ開口部領域を備え、蒸気タップ領域とディップチューブ開口部領域との比が約０．００５〜約０．１５である、スプレー装置（２００）と、を備える、エアロゾルヘアスプレー製品が本明細書で説明される。
【０００７】
（ａ）リザーバ（１２０）を封入する容器壁部（１１０）を備える容器（１００）であって、リザーバ（１２０）は、ヘアスタイリング配合物及びジメチルエーテル噴射剤の総重量の約４０重量％〜約７０重量％のヘアスタイリング配合物、及び約３５重量％〜約５５重量％のジメチルエーテル噴射剤を含み、（ｂ）ヘアスタイリング配合物が、（１）ヘアスタイリング配合物及びジメチルエーテル噴射剤の総重量の約３５重量％〜６０重量％の水と、（２）ヘアスタイリング配合物及びジメチルエーテル噴射剤の総重量の約５重量％〜約８重量％の１つ又は２つ以上のヘアスタイリングポリマーであって、１つ又は２つ以上のヘアスタイリングポリマーが水溶性であり、かつ２００，０００ｇ／ｍｏｌ未満の分子量を有し、１つ又は２つ以上のヘアスタイリングポリマーが、アクリル酸又はメタクリル酸のうち少なくとも１つのモノマー、アクリレートの少なくとも１つのエステル、及びポリウレタンを含むアクリレートをベースとする系を含む、ヘアスタイリングポリマーと、（３）ヘアスタイリング配合物及びジメチルエーテル噴射剤の総重量の約０．０５重量％〜約２重量％のアルコールと、を含み、かつ（４）エタノールを実質的に含まず、ヘアスタイリング配合物が約３ｍｍ２／秒〜約５ｍｍ２／秒（約３ｃＳｔ〜約５ｃＳｔ）の粘度を有する、容器（１００）と、（ｃ）容器（１００）のリザーバ（１２０）からヘアスタイリング配合物を分配するために容器（１００）に取り付けられたスプレー装置（２００）であって、スプレー装置（２００）がリザーバ（１２０）と流体接続し、スプレー装置（２００）がスプレー作動装置（１５０）及びバルブ（１３０）を備え、バルブ（１３０）がバルブハウジング（１４０）を備え、バルブハウジング（１４０）が蒸気タップ（１６０）を備え、蒸気タップ（１６０）が蒸気タップ領域を備え、ディップチューブ（１７０）がバルブ（１３０）と流体接続し、ディップチューブ（１７０）がディップチューブ開口部（１７５）を備え、ディップチューブ開口部（１７５）がディップチューブ開口部領域を備え、蒸気タップ領域とディップチューブ開口部領域との比が約０．００８〜約０．０９であり、バルブハウジングが２つ以上の蒸気タップを含まないスプレー装置（２００）と、を備える、エアロゾルヘアスプレー製品もまた、本明細書で説明される。
【０００８】
更に、（ａ）エアロゾルスプレー製品を提供することであって、（１）リザーバ（１２０）を封入する容器壁部（１１０）を備える容器（１００）であって、リザーバ（１２０）は、ヘアスタイリング配合物及びジメチルエーテル噴射剤の総重量の約４０重量％〜約７０重量％のヘアスタイリング配合物、及び約３０重量％〜約６０重量％のジメチルエーテル噴射剤を含み、（２）ヘアスタイリング配合物が、（ｉ）ヘアスタイリング配合物及びジメチルエーテル噴射剤の総重量の約３０重量％〜６０重量％の水と、（ｉｉ）ヘアスタイリング配合物及びジメチルエーテル噴射剤の総重量の約５重量％〜約１５重量％の１つ又は２つ以上のヘアスタイリングポリマーであって、ヘアスタイリングポリマーが水溶性であり、かつ２００，０００ｇ／ｍｏｌ未満の分子量を有する、ヘアスタイリングポリマーと、（ｉｉｉ）ヘアスタイリング配合物及びジメチルエーテル噴射剤の総重量の約０．０５重量％〜約２重量％のアルコールと、を含み、かつ（ｉｖ）エタノールを実質的に含まず、ヘアスタイリング配合物が約２．５ｍｍ２／秒〜約５．５ｍｍ２／秒（約２．５ｃＳｔ〜約５．５ｃＳｔ）の粘度を有する、容器（１００）と、（３）容器（１００）のリザーバ（１２０）からヘアスタイリング配合物を分配するために容器（１００）に取り付けられたスプレー装置（２００）であって、スプレー装置（２００）がリザーバ（１２０）と流体接続し、スプレー装置（２００）がスプレー作動装置（１５０）及びバルブ（１３０）を備え、バルブ（１３０）がバルブハウジング（１４０）を備え、バルブハウジング（１４０）が蒸気タップ（１６０）を備え、蒸気タップ（１６０）が蒸気タップ領域を備え、ディップチューブ（１７０）がバルブ（１３０）と流体接続し、ディップチューブ（１７０）がディップチューブ開口部（１７５）を備え、ディップチューブ開口部（１７５）がディップチューブ開口部領域を備え、蒸気タップ領域とディップチューブ開口部領域との比が約０．００５〜約０．１５である、スプレー装置（２００）と、を含む、ことと、（ｃ）エアロゾルヘアスプレー製品をある送出量で噴霧させることであって、送出量が約０．３０ｇ／秒〜約０．５０ｇ／秒であり、放出される組成物が噴霧され、放出される組成物が約４０マイクロメートル〜約１００マイクロメートルのＤｖ５０液滴粒径及び約１６０マイクロメートル〜約３００マイクロメートルのＤｖ９０液滴粒径を有する粒子を含む、ことと、を含むヘアスタイリング法が本明細書で説明される。
【図面の簡単な説明】
【０００９】
【図１】スプレー装置の分解図である。
【図２】エアロゾルヘアスプレー製品の断面図である。
【図３】本明細書で説明するエアロゾルヘアスプレー製品の蒸気タップ領域とディップチューブ開口部領域（ＶＴ／ＤＴ）との比が、より大きなＶＴ／ＤＴ領域比と比較して、目詰まりを全く生じさせないことを示す棒グラフである。
【図４】様々なＶＴ／ＤＴ領域比で送出される濃縮物の量を示す線グラフである。
【図５】エアロゾルヘアスプレー製品の耐用期間全体にわたる様々な濃縮物充填比を示す線グラフである。
【図６】様々なＶＴ／ＤＴ領域比における液滴粒径分布を示す線グラフである。
【図７】様々な濃縮物粘度でのカットオフ吹き出し（cut-off sputter）／噴霧の変形を示す棒グラフである。
【発明を実施するための形態】
【００１０】
本明細書は、本発明を具体的に指摘し明確に特許請求する請求項をもって結論とするが、本明細書に記載のエアロゾルヘアスプレー製品は、添付の図面と併せてなされる以下の説明から、より一層よく理解されると考えられる。
本発明の全ての実施形態において、全ての比率（％）は、特に記載のない限り、全組成物の重量に対するものである。特に明記しない限り、全ての比は重量比である。全ての範囲は、包括的かつ組み合わせ可能である。有効桁の数は、表示された量に対する限定を表すものでも、測定値の精度に対する限定を表すものでもない。特に別段の指示がない限り、全ての数量は、単語「約」によって修飾されるものと理解される。別途記載のない限り、全ての測定は２５℃及び周囲条件下で行われるものと理解される。ただし「周囲条件」とは、約１気圧の圧力及び約５０％相対湿度下の条件を意味する。列挙された成分に関連する重量は、全て、活性レベルに基づいており、特に指定しない限り、市販の材料に含まれ得るキャリア又は副生成物を含まない。
【００１１】
本明細書で使用する時、用語「含む（comprising）」は、最終結果に影響を及ぼさない他の工程及び他の成分を追加できることを意味する。この用語は、「からなる（consisting of）」及び「から本質的になる（consisting essentially of）」を包含する。本発明の組成物及び方法／プロセスは、本明細書に記載する本発明の要素及び限定、並びに本明細書に記載する追加の若しくは任意の成分、構成要素、工程、又は限定のいずれかを含み、これらからなり、及びこれらから本質的になることができる。
【００１２】
本明細書で使用する時、用語「含む（include）」、「含む（includes）」、「含む（including）」は、非限定的であることを意味し、それぞれ「含む（comprise）」、「含む（comprises）」、「含む（comprising）」を意味すると理解される。
【００１３】
量の範囲が記載されている場合、これらは、通常、指定の化合物（の群）の合計量に関する。例えば、「組成物は、約０．１％〜約２０％のエチレン性モノマーを含む」とは、組成物中のエチレン性モノマー（様々なこうしたモノマーの混合物を含む）の合計量が、指定の範囲内でなければならないことを意味する。
【００１４】
本明細書で使用する時、用語「実質的に含まない」とは、ヘアスタイリング配合物及びジメチルエーテル噴射剤の総重量の約１重量％未満、あるいは約０．８重量％未満、あるいは約０．５重量％未満、あるいは約０．３重量％未満、又はあるいは約０％を意味する。
【００１５】
本明細書で使用する時、「毛髪」とは、頭皮の毛、顔面の毛、及び体毛を含む哺乳類の毛を意味し、より好ましくは、ヒトの頭部及び頭皮上の毛を意味する。「毛幹」とは個々の毛髪の房を意味し、「毛髪」という用語と互換的に用いられ得る。
【００１６】
本明細書で使用する時、「化粧品として許容可能な」とは、記載されている組成物、配合物、又は構成成分が、過度の毒性、不適応性、不安定性、アレルギー反応などを伴わずに、ヒトのケラチン性組織と接触させて使用するのに適することを意味する。本明細書で説明され、ケラチン性組織に直接適用されるという用途を有する全ての組成物及び配合物は、化粧用として許容可能であるものに制限される。
【００１７】
本明細書で使用する時、「誘導体」としては、所定の化合物のアミド誘導体、エーテル誘導体、エステル誘導体、アミノ誘導体、カルボキシル誘導体、アセチル誘導体、酸誘導体、塩誘導体及び／又はアルコール誘導体が挙げられるが、これらに限定されない。
【００１８】
本明細書で使用する時、「モノマー」とは、反応開始剤の存在下で重合可能である、個別の非重合状態の化学的部分を意味する。本明細書で使用する時、「エチレン性モノマー」は、オレフィン性炭素−炭素二重結合（Ｃ＝Ｃ）を含有し、反応開始剤の存在下で重合可能な化学種を意味する。
【００１９】
本明細書で使用する時、「ポリマー」とは、２つ以上のモノマーの重合によって形成される化学物質を意味する。本明細書で使用する時、「ポリマー」という用語は、モノマーの重合によって作られる全ての材料と、天然ポリマーを含むものとする。１種類のモノマーのみから作られるポリマーをホモポリマーという。ポリマーは、少なくとも２つのモノマーを含む。２種類以上の異なるモノマーから作られるポリマーをコポリマーと言う。異なるモノマーの分布は、統計的に計算することも、ブロック毎に計算することもでき、いずれの実行可能な手段も本発明に好適である。特に記述のない限り、本明細書で使用する時、「ポリマー」という用語は、ホモポリマー及びコポリマーを含め、あらゆる種類のポリマーを含む。
【００２０】
本明細書で使用する時、用語「水溶性」とは、２５℃の水中で、材料の濃度が０．１重量％である時、肉眼で見て水中で単相溶液を形成するのに十分な可溶性がある任意の材料を指す。水溶性を得るためには、材料を水に添加した後で混合物のｐＨを調節する、又は混合物を完全に中和することが必要な場合がある。これらの方法は、例えば水溶性ヘアスタイリングポリマー用途の業界では周知されており、一般的には供給された材料試料を用いて指導される。水溶性は、一般的には以下の手順で測定される。０．１重量％の材料を２５℃の蒸留水に添加して、必要に応じてｐＨ調節剤（pH adjusted）／中和剤を添加する。これを、６００ｒｐｍに設定した電磁攪拌器で３０分間激しく撹拌する。続いて溶液を１時間かけて沈殿させ、相の数を肉眼で観察する。例えば、さもなければ単相の溶液中に、いくらかでも固形材料が見られる場合、これは２相であると考えられる。
【００２１】
本明細書で使用する時、用語「非水溶性」は、「水溶性」ではない任意の物質を指す。
【００２２】
本明細書で使用する時、用語「分子量（molecular weight又はM.Wt.）」とは、特に明記しない限り、数平均分子量を指す。
【００２３】
本明細書で使用する時、「キット」は、複数の構成要素、すなわち、キットオブパーツを含む包装単位を意味する。キットの例は、例えば、第１の組成物と、別個にパッケージングされた第２の組成物である。別のキットは、方法を含む塗布指示書と、組成物／配合物とを含み得る。
【００２４】
本明細書に記載されている実施形態及び態様は、組み合わせて明白に例証されていないが、別段明記しない限り又は不相容性が明示されてされない限り、他の実施態様及び／又は態様の要素若しくは成分を含むか又はこれらを組み合わせることが可能である。
【００２５】
エアロゾルヘアスプレー製品
エアロゾルヘアスプレー製品が本明細書で説明される。エアロゾルヘアスプレー製品は、ヘアスタイリング配合物及びジメチルエーテル噴射剤を含むリザーバ（１２０）を封入する容器壁部（１１０）を備える容器（１００）を備える。リザーバは、ヘアスタイリング配合物及びジメチルエーテル噴射剤の総重量の約４０重量％〜約７０重量％、あるいは約４５重量％〜約６５重量％、あるいは約４５重量％〜約６０重量％のヘアスタイリング配合物を含む。リザーバは、ヘアスタイリング配合物及びジメチルエーテル噴射剤の総重量の約３０重量％〜約６０重量％、あるいは約３５重量％〜約５５重量％、あるいは約４０重量％〜約５０重量％のジメチルエーテル噴射剤を含む。
【００２６】
一実施形態では、製品はエアロゾルヘアスプレー製品であるため、泡状整髪剤製品、又は任意のポンプ式スプレー製品は含まれない。
【００２７】
粘度
一実施形態では、噴射剤を含まないヘアスタイリング配合物は、約２．５ｍｍ２／秒〜約５．５ｍｍ２／秒（約２．５ｃＳｔ〜約５．５ｃＳｔ）、あるいは約３ｍｍ２／秒〜約
５ｍｍ２／秒（約３ｃＳｔ〜約５ｃＳｔ）、あるいは約３．５ｍｍ２／秒〜約４．５ｍｍ２／秒（約３．５ｃＳｔ〜約４．５ｃＳｔ）の動粘度を有する。動粘度は２０℃＋／−０．１℃で測定する。ヘアスタイリング配合物の粘性が高過ぎる場合、ヘアスタイリング配合物が濃くなり過ぎて噴霧できず、かつ／又は、目詰まり、つまり不均一な放出組成物が、例えば、噴霧ではなくむしろ「喀出」する不規則な噴霧ビーム、及び／若しくは塊の排出をもたらすため、動粘度は重要となり得る。
【００２８】
動粘度はウベローデ管によって測定することができる。動粘度は、流体の流動に対する抵抗の指標であり、その絶対粘度をその密度で割ったものと等しい。動粘度のＳＩ単位はｍ２・秒−１である。動粘度のｃｇｓ（センチメートル／グラム／秒）物理単位はストーク（Ｓｔ）であり、センチストーク（ｃＳｔ）として表され得る。１ｃＳｔ＝１ｍｍ２・ｓ−１＝１０−６ｍ２・ｓ−１である。２０℃の水は、約１ｍｍ２／秒（１ｃＳｔ）の動粘度を有する。ウベローデ管は、ＡＳＴＭ  Ｄ４４５及びＤ４４６、並びにＩＳＯ  ３１０４及び３１０５に記載される通りの懸濁レベル原理によって透明なニュートン液体の動粘度を測定するための粘度計である。ウベローデ管測定値の場合、温度は結果に影響を与えず、他の動粘度計の場合、指定の試験範囲から異なる温度は結果に影響し得る。本明細書では、測定は２０℃＋／−０．１℃の温度で行われた。この方法は、約０．６ｍｍ２／秒〜１００ｍｍ２／秒（約０．６ｃＳｔ〜１００ｃＳｔ）を測定するのに用いることができる。ウベローデ粘度計の使用方法はＡＳＴＭ  Ｄ４４５を参照されたい。２０℃＋／−０．１℃で、０．６ｍｍ２／秒〜３ｍｍ２／秒（０．６〜３ｃＳｔ）の粘度の場合は、ウベローデ管のサイズ０Ｃを使用する。２０℃＋／−０．１℃で、２ｍｍ２／秒〜１０ｍｍ２／秒（２〜１０ｃＳｔ）の粘度の場合は、ウベローデ管のサイズ１を使用する。ＡＳＴＭ  Ｄ４４５は、「透明及び不透明な液体の動粘度の標準試験法（Standard Test Method for Kinematic Viscosity of Transparent and Opaque Liquids）」である。ＡＳＴＭ  Ｄ４４６は、「ガラスキャピラリー粘度計の標準仕様及び操作方法（Specifications and Operating Instructions for Glass Capillary Kinematic Viscometers）」である。
【００２９】
送出量
一実施形態では、エアロゾルヘアスプレー製品はある送出量で噴霧するためのものであり、送出量は約０．３０ｇ／秒〜約０．５０ｇ／秒、あるいは約０．３５ｇ／秒〜約０．５０ｇ／秒である。送出量はＡＳＴＭ  Ｄ３０６９−９４「エアロゾル製品の送出量の標準試験法（Standard Test Method for Delivery Rate of Aerosol Products）」に従って求められ得る。この試験では、製品の送出量は、所定の時間区分における質量の喪失を測定することによって求める。これは、所定の時間区分内にバルブ及び作動装置の組み合わせから放出される材料の量と相関関係を持つ。この場合、缶は室温（２１℃）、及び２秒〜１０秒の作動時間の持続時間で試験する。続いて送出量を等式によって求める。
送出量（ｇ／秒）＝質量喪失（ｇ）／作動時間（秒）
【００３０】
送出量が約０．４５ｇ／秒を超える場合、毛髪上乾燥時間は消費者が満足するには長過ぎる場合がある。これは、従来のアルコール系ヘアスプレーと比べ、本明細書で説明される水系ヘアスプレーに固有のものであり、典型的には、揮発性アルコールを含有する従来のヘアスプレーは約０．５５ｇ／秒〜０．８５ｇ／秒の送出量を有する。送出量は、典型的には容器内部の圧力（高い圧力は高い送出量と相関関係を持つ）、並びに／又はノズルの開口部、バルブの開口部、及びディップチューブの内径などのスプレー装置の開口部を変更することによって調節することができる。
【００３１】
粒径分布
一実施形態では、エアロゾルヘアスプレー製品は放出される組成物を噴霧するためのものであり、放出される組成物は、４０マイクロメートル〜１００マイクロメートル、あるいは約４５マイクロメートル〜約９５マイクロメートル、あるいは約５０マイクロメートル〜約９０マイクロメートルの平均粒径分布（Ｄｖ５０）を有する粒子からなる。一実施形態では、エアロゾルヘアスプレー製品は放出される組成物を噴霧するためのものであり、放出される組成物は、１６０マイクロメートル〜３００マイクロメートル、あるいは約１６５マイクロメートル〜約２９５マイクロメートル、あるいは約１７０マイクロメートル〜約２９０マイクロメートルの平均粒径分布（Ｄｖ９０）を有する粒子からなる。
【００３２】
缶の耐用期間中の液滴粒径は、ヘアスプレーの乾燥した感触、乾燥時間、及び保持性能に影響を与えるため、重要となり得る。より小さな液滴はより早く乾燥する。より多数の小さな液滴は、より少数の大きな液滴と比較して湿った感触が少ない。保持に関しては、より多数のより小さな液滴は、より大きな表面積を被覆して、毛髪接合部のむらのないコーティングをもたらす。液滴が小さ過ぎる場合、液滴は接合部点で毛髪を一体に架橋せず、また保持しない。これは、急速に蒸発して乾燥するエタノール配合物の利点を有しないアルコール非含有ヘアスプレーにとっては重要となり得る。エタノールヘアスプレーは遥かに広い有効液滴粒径範囲（即ち、３０〜１３０ｕｍ  Ｄｖ５０）を有する。４０ｕｍ  Ｄｖ５０未満のエタノール非含有ヘアスプレーは、保持に問題を有する場合がある。約〜８０ｕｍ  Ｄｖ５０超のエタノール非含有ヘアスプレーは、著しく遅い乾燥時間、及び初期に毛髪が湿った感触を有し得る。Ｄｖ９０は、スプレー中で、遥かに少数であるが最大の液滴を表す。缶の耐用期間中に、最大で４００ｕｍまで大きくなる、１８０ｕｍ超のＤｖ９０は、より大きく、かつ吹き出す（sputtering）液滴を有する、外観にむらのあるスプレーをもたらし得る。これらの大型の滴のために、スプレーは霧状でなくなり、かつ均一性が低下する。このため、これらの大きな滴が着地した場所で毛髪の凝集が起きる場合がある。これらの毛髪の凝集のために、完成した毛髪の結果が、指や櫛を通すことが困難な不自然な毛髪の感触を有するようになり得る。
【００３３】
平均粒径分布（Ｄｖ５０）は、消費者に許容可能でなくてはならない、放出される組成物の乾燥時間を考慮すると重要であり得る。実際、より小さな平均粒径分布（Ｄｖ５０）は、より多くの粒子がより大きい表面積対体積比を有し、これはより急速な乾燥時間を意味するという点で有用となり得る。一方で、平均粒径分布（Ｄｖ５０）が低過ぎると、スポット接合部を提供するために充分なヘアスタイリングポリマーが毛髪に提供されないことを意味し得る。
【００３４】
粒径分布測定にはＭａｌｖｅｒｎ  Ｓｐｒａｙｔｅｃの計器を使用する。Ｄｖ５０は、試料体積の５０％が最大粒径直径未満を有するという、最大粒径の直径を説明する用語であり、体積基準の中央粒径としても知られる。Ｄｖ９０は、試料体積の９０％が最大粒径直径未満を有するという、最大粒径の直径を説明する用語である。Ｍａｌｖｅｒｎ  Ｓｐｒａｙｔｅｃの計器は、スプレー粒子の粒径測定にレーザー回折技術を用いる。レーザービームがスプレーを通過する時に散乱した光の強度が測定される。次に、このデータは、散乱パターンを生成した粒子の粒径を計算するために分析される。Ｍａｌｖｅｒｎ  Ｓｐｒａｙｔｅｃ  ２０００を、製造者の指示に従い使用する。試験試料は２０℃〜２２℃の温度を有する。
【００３５】
アルコール
ヘアスタイリング配合物は、ヘアスタイリング配合物及びジメチルエーテル噴射剤の総重量の約０．０５重量％〜約２重量％、あるいは約０．０６重量％〜約１．９重量％、あるいは約０．０８重量％〜約１．７重量％のアルコールを含む。ヘアスタイリング配合物は、エタノールを実質的に含まず、即ち、０％のエタノールを含む。
【００３６】
水
ヘアスタイリング配合物は、ヘアスタイリング配合物及びジメチルエーテル噴射剤の総重量の約３０重量％〜約６０重量％、あるいは約３５重量％〜約６０重量％、あるいは約３９重量％〜約５５重量％、あるいは約４１重量％〜約５０重量％の水を含む。
【００３７】
水は、ヘアスタイリングポリマー及びその他の成分のための溶媒をヘアスタイリング配合物中に提供するために重要であり得る。水は、容易に入手可能であり、非常に安価であり、サステイナブルであり、かつ環境に優しいという利点を有する。例えば、水はＶＯＣではない。更に、ヘアスタイリング配合物のための多くの有用な成分が水中に溶解するが、即ちこれらは水溶性であり、これがもう１つの利点となる。
【００３８】
ヘアスタイリングポリマー
ヘアスタイリング配合物は、ヘアスタイリング配合物及びジメチルエーテル噴射剤の総重量の約５重量％〜約１５重量％、あるいは約５重量％〜約８重量％、あるいは約５．８重量％〜約７．４重量％の１つ又は２つ以上のヘアスタイリングポリマーを含む。一実施形態では、１つ又は２つ以上のヘアスタイリングポリマーは水溶性であり、かつ２００，０００ｇ／ｍｏｌ未満の分子量を有する。
【００３９】
１つ又は２つ以上のヘアスタイリングポリマーの量は、保持性能と毛髪上湿潤性とのバランスを取るために重要であり得る。ヘアスタイリングポリマーの量は、保持性能を押し上げ得るが、最大噴霧可能粘度の制限を受け得る。
【００４０】
一実施形態では、１つ又は２つ以上のヘアスタイリングポリマーは、アクリル酸又はメタクリル酸のうちの少なくとも１つのモノマー、及びアクリレートの少なくとも１つのエステルを含有するアクリレートをベースとする系を含む。一実施形態では、１つ又は２つ以上のヘアスタイリングポリマーは、アクリル酸又はメタクリル酸のうちの少なくとも１つのモノマー、アクリレートの少なくとも１つのエステル、及びポリウレタンを含有するアクリレートをベースとする系を含む。
【００４１】
１つ又は２つ以上のヘアスタイリングポリマーは、水溶性ヘアスタイリングポリマーであってもよい。ヘアスタイリングポリマーの水系ヘアスタイリング配合物は、液化ガス噴射剤によって容器（１００）内で加圧され得る。圧力が解放されると、液体は、水、及びヘアスタイリングポリマー、並びに任意の成分を担いながら沸騰する。したがって、加圧缶中のヘアスプレー配合物と液化ガス噴射剤との均質な混合物は、製品が噴霧された時に、均質な放出される組成物を毛髪に送達するのに望ましい。均質性は、缶が加圧された直後か、又はある期間を経てから生じ得る。これは、製品を噴霧する前に缶を振盪することによっても達成することができる。例えば、その他のエアロゾル製品（泡状整髪剤など）では、噴射剤が缶内の配合物の残部に不溶性であるのは一般的である。１つ又は２つ以上のヘアスタイリングポリマーは、加圧缶中で水及び液化ガス噴射剤と混合された時に均質な混合物を形成するその能力に基づいて選択され得る。
【００４２】
一実施形態では、１つ又は２つ以上のヘアスタイリングポリマーは、水及び液化ガス噴射剤と均質な混合物を形成するヘアスタイリングポリマーから選択され得る。一実施形態では、１つ又は２つ以上のヘアスタイリングポリマーは、水及びジメチルエーテル噴射剤と均質な混合物を形成するヘアスタイリングポリマーから選択され得る。本明細書で「均質な混合物」とは、単相を有する混合物を意味し、したがって均質な混合物の成分は、混合物中全体で同じ比を有する。
【００４３】
ヘアスタイリングポリマーは、任意の水溶性フィルム形成ポリマー、又はこうしたポリマーの混合物であり得る。これには、ヒドロキシル、アミン、アミド、又はカルボキシル基などのポリマーを水溶性にする官能基を有する天然又は合成由来のホモポリマー又はコポリマーが挙げられる。
【００４４】
一実施形態では、水溶性ヘアスタイリングポリマーは、特許請求される範囲で水に希釈すると、透明又は半透明の安定溶液を形成する。特定のポリマーの種類によっては、水溶性を得るために、ポリマーを水に添加した後で配合物のｐＨを調節する、又は混合物を中和することが必要な場合がある。これらの方法は、水溶性ポリマー用途の業界では周知されており、一般的には供給されたポリマー試料を用いて指導される。ヘアスタイリングポリマーは、（完全な）合成ポリマーと、化学的に改質した誘導体と組み合わせた天然の生成物と、の２種類に分類でき、また更に、天然、半合成、及び完全合成ポリマーの３つの主題目に分類できる。少なくとも１つの実施形態では、ヘアスタイリングポリマーは、カチオン性ヘアスタイリングポリマー、アニオン性ヘアスタイリングポリマー、非イオン性ヘアスタイリングポリマー、及び両性ヘアスタイリングポリマーからなる群から選択される。ヘアスタイリングポリマーの分子量は、噴射剤を含まないヘアスタイリング配合物が、指定された粘度要件の範囲を満たすようであってよい。少なくとも１つの実施形態では、ヘアスタイリングポリマーは直鎖又は分枝鎖である。
【００４５】
一実施形態では、ヘアスタイリングポリマーはカチオン性ヘアスタイリングポリマー、又はカチオン性ヘアスタイリングポリマーの混合物である。少なくとも１つの実施形態では、カチオン性ヘアスタイリングポリマーは、四級化アクリレート又はメタクリレート、ビニルイミダゾール四級ホモポリマー又はコポリマー、四級ジメスジアリル（dimethdiallyl）アンモニウムクロリドを含むホモポリマー又はコポリマー、非セルロース系カチオン性多糖類、カチオン性セルロース誘導体、キトサン及びその誘導体、並びにこれらの混合物からなる群から選択される。
【００４６】
一実施形態では、カチオン性ヘアスタイリングポリマーは、四級化アクリレート又はメタクリレートから選択され得る。少なくとも１つの実施形態では、カチオン性ヘアスタイリングポリマーは、ａ）四級ジアルキルアミノアルキルアクリルアミド（例えば、四級化ジメチルアミノプロピルメタクリルアミド）、又は四級化ジアルキルアミノアルキルアクリレート（例えば、四級化ジメチルアミノエチルメタクリレート）のうちの少なくとも１つと、ｂ）ビニルピロリドン又はビニルカプロラクタムなどのビニルラクタム、アクリルアミド、低級アルキル基（Ｃ１〜Ｃ４）によって窒素と置換されても置換されなくてもよいメタクリルアミド（例えば、Ｎ−ｔｅｒｔ−ブチルアクリルアミド）、アクリル酸及び／又はメタクリル酸のエステル（例えば、Ｃ１〜Ｃ４アルキルアクリレート、メチルアクリレート、エチルアクリレート、ｔｅｒｔ−ブチルアクリレート及びこれらのメタクリレート誘導体）、ポリエチレングリコールなどのポリアルキレングリコール上にグラフト化されたアクリレートエステル（例えば、ポリ（エチレングリコール）アクリレート）、ヒドロキシエステルアクリレート（例えば、ヒドロキシエチルメタクリレート）、ヒドロキシアルキル化アクリルアミド、アミノアルキル化アクリルアミド（例えば、ジメチルアミノプロピルメタクリルアミド）、アルキルアクリルアミン（例えば、ｔｅｒｔ−ブチルアミノ−エチルメタクリレート、ジメチルアミノエチルメタクリレート）、アルキルエーテルアクリレート（例えば、２−エトキシエチルアクリレート）、エチレン、スチレンなどのモノエチレン性モノマー、ビニルエステル（例えば、ビニルアセテート又はビニルプロピオネート、ビニル−ｔｅｒｔ−ブチル−ベンゾエート）、ポリエチレングリコールなどのポリアルキレングリコール上にグラフト化されたビニルエステル、ビニルエーテル、ハロゲン化ビニル、フェニルビニル誘導体、及びアリルエステル又はメタリルエステルからなる群から選択される１つ又は２つ以上のモノマーと、を含むコポリマーである。対イオンは、メトサルフェートアニオン、又はクロリド若しくはブロミドなどのハロゲン化物のいずれかであり得る。
【００４７】
一実施形態では、カチオン性ヘアスタイリングポリマーは、ビニルイミダゾールの四級ホモポリマー又はコポリマーであり得る。少なくとも１つの実施形態では、カチオン性ヘアスタイリングポリマーは、ａ）四級化ビニルイミダゾールと、ｂ）１つ又は２つ以上のその他のモノマーと、を含むコポリマーである。その他のモノマーは、ＢＡＳＦからＬｕｖｉｑｕａｔ  ＦＣ−５５０として販売されているものなどのビニルピロリドン／四級化ビニルイミダゾール（ＰＱ−１６）などのビニルピロリドン又はビニルカプロラクタムなどのビニルラクタム、アクリルアミド、低級アルキル基（Ｃ１〜Ｃ４）によって窒素と置換されても置換されなくてもよいメタクリルアミド（例えば、Ｎ−ｔｅｒｔ−ブチルアクリルアミド）、アクリル酸及び／又はメタクリル酸のエステル（例えば、Ｃ１〜Ｃ４アルキルアクリレート、メチルアクリレート、エチルアクリレート、ｔｅｒｔ−ブチルアクリレート及びこれらのメタクリレート誘導体）、ポリエチレングリコールなどのポリアルキレングリコール上にグラフト化されたアクリレートエステル（例えば、ポリ（エチレングリコール）アクリレート）、ヒドロキシエステルアクリレート（例えば、ヒドロキシエチルメタクリレート）、ヒドロキシアルキル化アクリルアミド、アミノアルキル化アクリルアミド（例えば、ジメチルアミノプロピルメタクリルアミド）、アルキルアクリルアミン（例えば、ｔｅｒｔ−ブチルアミノ−エチルメタクリレート、ジメチルアミノエチルメタクリレート）、アルキルエーテルアクリレート（例えば、２−エトキシエチルアクリレート）、エチレン、スチレンなどのモノエチレン性モノマー、ビニルエステル（例えば、ビニルアセテート又はビニルプロピオネート、ビニル−ｔｅｒｔ−ブチル−ベンゾエート）、ポリエチレングリコールなどのポリアルキレングリコール上にグラフト化されたビニルエステル、ビニルエーテル、ハロゲン化ビニル、フェニルビニル誘導体、アリルエステル又はメタリルエステルからなる群から選択され得る。対イオンは、メトサルフェートアニオン、又はクロリド若しくはブロミドなどのハロゲン化物のいずれかであり得る。
【００４８】
一実施形態では、カチオン性ヘアスタイリングポリマーはジメスジアリルアンモニウムクロリドであり得る。一実施形態では、カチオン性ヘアスタイリングポリマーは、四級ジメスジアリルアンモニウムクロリドと別のモノマーとを含むホモポリマー又はコポリマーであり得る。こうしたその他のモノマーは、アクリルアミド、低級アルキル基（Ｃ１〜Ｃ４）によって窒素と置換されても置換されなくてもよいメタクリルアミド（例えば、Ｎ−ｔｅｒｔ−ブチルアクリルアミド）、ビニルピロリドン又はビニルカプロラクタムなどのビニルラクタム、アクリル酸及び／又はメタクリル酸のエステル（例えば、Ｃ１〜Ｃ４アルキルアクリレート、メチルアクリレート、エチルアクリレート、ｔｅｒｔ−ブチルアクリレート及びこれらのメタクリレート誘導体）、ポリエチレングリコールなどのポリアルキレングリコール上にグラフト化されたアクリレートエステル（例えば、ポリ（エチレングリコール）アクリレート）、ヒドロキシエステルアクリレート（例えば、ヒドロキシエチルメタクリレート）、ヒドロキシアルキル化アクリルアミド、アミノアルキル化アクリルアミド（例えば、ジメチルアミノプロピルメタクリルアミド）、アルキルアクリルアミン（例えば、ｔｅｒｔ−ブチルアミノ−エチルメタクリレート、ジメチルアミノエチルメタクリレート）、アルキルエーテルアクリレート（例えば、２−エトキシエチルアクリレート）、エチレン、スチレンなどのモノエチレン性モノマー、ビニルエステル（例えば、ビニルアセテート又はビニルプロピオネート、ビニル−ｔｅｒｔ−ブチル−ベンゾエート）、ポリエチレングリコールなどのポリアルキレングリコール上にグラフト化されたビニルエステル、ビニルエーテル、ハロゲン化ビニル、フェニルビニル誘導体、アリルエステル又はメタリルエステルからなる群から選択され得る。対イオンは、メトサルフェートアニオン、又はクロリド若しくはブロミドなどのハロゲン化物のいずれかであり得る。
【００４９】
一実施形態では、カチオン性ヘアスタイリングポリマーは、非セルロース系カチオン性多糖類である。少なくとも１つの実施形態では、カチオン性ヘアスタイリングポリマーは、トリアルキルアンモニウムカチオン性基を含むようなグアーガムである。例えば、ＡｓｈｌａｎｄからＮ−Ｈａｎｃｅ  ３２６９として入手可能なグアーヒドロキシプロピルトリモニウムクロリドなど。
【００５０】
一実施形態では、カチオン性ヘアスタイリングポリマーは、カチオン性セルロース誘導体である。少なくとも１つの実施形態では、カチオン性ヘアスタイリングポリマーは、四級アンモニウム（例えば、グリシジルトリメチルアンモニウム、メタクロイルオキシエチルトリメチルアンモニウム、若しくはメタクリルアミドプロピルトリメチルアンモニウム、又はジメチルジアリルアンモニウム塩）を含む水溶性モノマーでグラフト化されたヒドロキシアルキルセルロース（例えば、ヒドロキシメチル−、ヒドロキシエチル−、又はヒドロキシプロピルセルロース）などのセルロース誘導体のコポリマーである。例えば、Ａｋｚｏ  ＮｏｂｅｌからＣｅｌｑｕａｔ  Ｌ２００として販売されているヒドロキシエチルセルロースジメチルジアリアンモニウムクロリド（dimethyldiallyammonium chloride）［ＰＱ４］など、又はＤｏｗ  Ｐｅｒｓｏｎａｌ  ＣａｒｅからＵＣＡＲＥ  ＪＲ１２５として販売されている四級化ヒドロキシエチルセルロース［ＰＱ１０］など。
【００５１】
一実施形態では、カチオン性ヘアスタイリングポリマーは、キトサン及びその誘導体から選択される。キトサンの誘導体は、キトサン塩を含む。この塩は、好ましくは、少なくとも８０％の加水分解度を有する、キトサンアセテート、ラクテート、グルタメート、グルコネート、又はピロリドンカルボキシレートであり得る。好適なキトサンは、ＣｏｇｎｉｓによるＨｙｄａｇｅｎ  ＨＣＭＦを含む。
【００５２】
一実施形態では、ヘアスタイリングポリマーはアニオン性ヘアスタイリングポリマー、又はアニオン性ヘアスタイリングポリマーの混合物である。少なくとも１つの実施形態では、アニオン性ヘアスタイリングポリマーは、カルボン酸又はスルホン酸から誘導された群を含むポリマーから選択される。酸単位を含有するコポリマーは、一般的には、部分的に又は完全に中和された、より好ましくは完全に中和された形態で用いられる。少なくとも１つの実施形態では、アニオン性ヘアスタイリングポリマーは、（ａ）アクリル酸若しくはメタクリル酸若しくはクロトン酸若しくはそれらの塩のようなカルボン酸、又はＣ４〜Ｃ８モノ不飽和ポリカルボン酸、若しくは無水物から誘導された少なくとも１つのモノマー（例えば、マレイン酸、フマル酸（furamic）、イタコン酸及びそれらの無水物）と、（ｂ）アクリル酸及び／又はメタクリル酸のエステル（例えば、Ｃ１〜Ｃ４アルキルアクリレート、メチルアクリレート、エチルアクリレート、ｔｅｒｔ−ブチルアクリレート及びこれらのメタクリレート誘導体）、ポリエチレングリコールなどのポリアルキレングリコール上にグラフト化されたアクリレートエステル（例えば、ポリ（エチレングリコール）アクリレート）、ヒドロキシエステルアクリレート（例えば、ヒドロキシエチルメタクリレート）、アクリルアミド、低級アルキル基（Ｃ１〜Ｃ４）によって窒素と置換されても置換されなくてもよいメタクリルアミド、Ｎ−アルキル化アクリルアミド（例えば、Ｎ−ｔｅｒｔブチルアクリルアミド）、ヒドロキシアルキル化アクリルアミド、アミノアルキル化アクリルアミド（例えば、ジメチルアミノプロピルメタクリルアミド）、アルキルアクリルアミン（例えば、ｔｅｒｔ−ブチルアミノ−エチルメタクリレート、ジメチルアミノエチルメタクリレート）、アルキルエーテルアクリレート（例えば、２−エトキシエチルアクリレート）、エチレン、スチレンなどのモノエチレン性モノマー、ビニルエステル（例えば、ビニルアセテート又はビニルプロピオネート、ビニル−ｔｅｒｔ−ブチル−ベンゾエート）、ポリエチレングリコールなどのポリアルキレングリコール上にグラフト化されたビニルエステル、ビニルエーテル、ハロゲン化ビニル、フェニルビニル誘導体、アリルエステル又はメタリルエステル、ビニルピロリドン又はビニルカプロラクタムなどのビニルラクタム、アルキルマレイミド、ヒドロキシアルキルマレイミド（例えば、エチル／エタノールマレイミド）からなる群から選択される１つ又は２つ以上のモノマーと、を含む。存在する場合、これらのポリマーの無水物官能基は、任意にモノエステル化又はモノアミド化され得る。少なくとも１つの実施形態では、アニオン性ヘアスタイリングポリマーは、スルホン酸から誘導されたモノマーを含む。少なくとも１つの実施形態では、アニオン性ポリマーは、（ａ）ビニルスルホン酸、スチレンスルホン酸、ナフタレンスルホン酸、アクリルアルキルスルホン酸、アクリルアミドアルキルスルホン酸、又はこれらの塩などのスルホン酸から誘導される少なくとも１つのモノマーと、（ｂ）アクリル酸及び／又はメタクリル酸のエステル（例えば、Ｃ１〜Ｃ４アルキルアクリレート、メチルアクリレート、��チルアクリレート、ｔｅｒｔ−ブチルアクリレート及びこれらのメタクリレート誘導体）、ポリエチレングリコールなどのポリアルキレングリコール上にグラフト化されたアクリレートエステル（例えば、ポリ（エチレングリコール）アクリレート）、ヒドロキシエステルアクリレート（例えば、ヒドロキシエチルメタクリレート）、アクリルアミド、低級アルキル基（Ｃ１〜Ｃ４）によって窒素と置換されても置換されなくてもよいメタクリルアミド、Ｎ−アルキル化アクリルアミド（例えば、Ｎ−ｔｅｒｔブチルアクリルアミド）、ヒドロキシアルキル化アクリルアミド、アミノアルキル化アクリルアミド（例えば、ジメチルアミノプロピルメタクリルアミド）、アルキルアクリルアミン（例えば、ｔｅｒｔ−ブチルアミノ−エチルメタクリレート、ジメチルアミノエチルメタクリレート）、アルキルエーテルアクリレート（例えば、２−エトキシエチルアクリレート）、エチレン、スチレンなどのモノエチレン性モノマー、ビニルエステル（例えば、ビニルアセテート又はビニルプロピオネート、ビニル−ｔｅｒｔ−ブチル−ベンゾエート）、ポリエチレングリコールなどのポリアルキレングリコール上にグラフト化されたビニルエステル、ビニルエーテル、ハロゲン化ビニル、フェニルビニル誘導体、アリルエステル又はメタリルエステル、ビニルピロリドン又はビニルカプロラクタムなどのビニルラクタム、アルキルマレイミド、ヒドロキシアルキルマレイミド（例えば、エチル／エタノールマレイミド）からなる群から選択される１つ又は２つ以上のモノマーと、を含む。存在する場合、これらのポリマーの無水物官能基は、任意にモノエステル化又はモノアミド化され得る。
【００５３】
一実施形態において、アニオン性ヘアスタイリングポリマーは、水溶性ポリウレタンである。
【００５４】
一実施形態では、アニオン性ヘアスタイリングポリマーは、有利には、ＢＡＳＦからＵｌｔｒａｈｏｌｄ  ８として販売されているものなどの、アクリル酸／エチルアクリレート／Ｎ−ｔｅｒｔ−ブチルアクリルアミドターポリマーなどのアクリル酸から誘導されたコポリマー、Ａｋｚｏ  ＮｏｂｅｌからＡｍｐｈｏｍｅｒして販売されているものなどの、オクチルアクリルアミド／アクリレート／ブチルアミノエチル／メタクリレートコポリマー、Ａｋｚｏ  ＮｏｂｅｌからＢａｌａｎｃｅ  ＣＲとして販売されているものなどの、メタクリル酸／エステルアクリレート／エステルメタクリレート、Ａｋｚｏ  ｎｏｂｅｌからＢａｌａｎｃｅ  ４７として販売されているものなどの、オクチルアクリルアミド／アクリレート／ブチルアミノエチルメタクリレートコポリマー、Ｄｏｗ  ＣｈｅｍｉｃａｌからＡｃｕｄｙｎｅ  １０００として知られているものなどの、メタクリル酸／ヒドロキシエチルメタクリレート／種々のアクリレートエステル、Ｄｏｗ  ＣｈｅｍｉｃａｌからＡｃｕｄｙｎｅ  １８０として販売されているものなどの、アクリレート／ヒドロキシエチルメタクリレート、Ｄｏｗ  ＣｈｅｍｉｃａｌからＡｃｕｄｙｎｅ  ＤＨＲとして販売されているものなどの、メタクリル酸／ヒドロキシエチルメタクリレート／種々のアクリレートエステル、ＤＳＭからＴｉｌａｍａｒ  Ｆｉｘ  Ａ−１０００として販売されているものなどの、ｎ−ブチルメタクリレート／メタクリル酸／エチルアクリレートコポリマー、Ａｋｚｏ  ＮｏｂｅｌからＲｅｓｉｎ  ２８２９３０として販売されているものなどの、酢酸ビニル／ビニルｔｅｒｔブチルベンゾエート／クロトン酸ターポリマー及びクロトン酸／ビニルアセテート／ビニルネオドデカノエートターポリマーなどのクロトン酸から誘導されたコポリマーから選択される。スルホン酸から誘導される好ましいヘアスタイリングポリマーとしては、ＡｓｈｌａｎｄからＦｌｅｘａｎ  １３０として販売されている、ポリスチレンスルホン酸ナトリウム、ＥａｓｔｍａｎからＥａｓｔｍａｎ  ＡＱ  ４８として販売されているものなどのスルホポリエステル（別名ポリエステル−５）、ＥａｓｔｍａｎからＥａｓｔｍａｎ  ＡＱ  Ｓ３８として販売されているものなどのスルホポリエステル（別名ポリエステル−５）、ＥａｓｔｍａｎからＥａｓｔｍａｎ  ＡＱ  ５５として販売されているものなどのスルホポリエステル（別名ポリエステル−５）が挙げられる。少なくとも１つの実施形態では、アニオン性ヘアスタイリングポリマーは、好ましくは、ＢＡＳＦからＵｌｔｒａｈｏｌｄ  ８として販売されているものなどの、アクリル酸／エチルアクリレート／Ｎ−ｔｅｒｔ−ブチルアクリルアミドターポリマーなどのアクリル酸から誘導されたコポリマー、Ａｍｐｈｏｍｅｒして販売されているものなどの、オクチルアクリルアミド／アクリレート／ブチルアミノエチル／メタクリレートコポリマー、Ａｋｚｏ  ＮｏｂｅｌからＢａｌａｎｃｅ  ＣＲとして販売されているものなどの、メタクリル酸／エステルアクリレート／エステルメタクリレート、Ａｋｚｏ  ｎｏｂｅｌからＢａｌａｎｃｅ  ４７として販売されているものなどの、オクチルアクリルアミド／アクリレート／ブチルアミノエ���ルメタクリレートコポリマー、Ｄｏｗ  ＣｈｅｍｉｃａｌからＡｃｕｄｙｎｅ  １０００として知られているものなどの、メタクリル酸／ヒドロキシエチルメタクリレート／種々のアクリレートエステル、Ｄｏｗ  ＣｈｅｍｉｃａｌからＡｃｕｄｙｎｅ  １８０として販売されているものなどの、アクリレート／ヒドロキシエチルメタクリレート、Ｄｏｗ  ＣｈｅｍｉｃａｌからＡｃｕｄｙｎｅ  ＤＨＲとして販売されているものなどの、メタクリル酸／ヒドロキシエチルメタクリレート／種々のアクリレートエステル、ＤＳＭからＴｉｌａｍａｒ  Ｆｉｘ  Ａ−１０００として販売されているものなどの、ｎ−ブチルメタクリレート／メタクリル酸／エチルアクリレートコポリマー、Ａｋｚｏ  ＮｏｂｅｌからＲｅｓｉｎ  ２８２９３０として販売されているものなどの、酢酸ビニル／ビニルｔｅｒｔブチルベンゾエート／クロトン酸ターポリマー及びクロトン酸／ビニルアセテート／ビニルネオドデカノエートターポリマーなどのクロトン酸から誘導されたコポリマーから選択される。スチレンスルホン酸から誘導される好ましいヘアスタイリングポリマーとしては、ＡｓｈｌａｎｄからＦｌｅｘａｎ  １３０として販売されている、ポリスチレンスルホン酸ナトリウム、ＥａｓｔｍａｎからＥａｓｔｍａｎ  ＡＱ  ４８として販売されているものなどのスルホポリエステル（別名ポリエステル−５）、ＥａｓｔｍａｎからＥａｓｔｍａｎ  ＡＱ  Ｓ３８として販売されているものなどのスルホポリエステル（別名ポリエステル−５）、ＥａｓｔｍａｎからＥａｓｔｍａｎ  ＡＱ  ５５として販売されているものなどのスルホポリエステル（別名ポリエステル−５）が挙げられる。
【００５５】
一実施形態では、ヘアスタイリングポリマーはアニオン性ヘアスタイリングポリマーであり、アニオン性ヘアスタイリングポリマーは、アクリル酸／エチルアクリレート／Ｎ−ｔｅｒｔ−ブチルアクリルアミドターポリマーなどのアクリル酸から誘導されたコポリマー、オクチルアクリルアミド／アクリレート／ブチルアミノエチル／メタクリレートコポリマー、メタクリル酸／エステルアクリレート／エステルメタクリレート、オクチルアクリルアミド／アクリレート／ブチルアミノエチルメタクリレートコポリマー、メタクリル酸／ヒドロキシエチルメタクリレート／種々のアクリレートエステル、アクリレート／ヒドロキシエチルメタクリレート、メタクリル酸／ヒドロキシエチルメタクリレート／種々のアクリレートエステル、ｎ−ブチルメタクリレート／メタクリル酸／エチルアクリレートコポリマー、酢酸ビニル／ビニルｔｅｒｔブチルベンゾエート／クロトン酸ターポリマー、及びクロトン酸／ビニルアセテート／ビニルネオドデカノエートターポリマーなどのクロトン酸、並びにこれらの混合物から誘導されたコポリマーから選択される。
【００５６】
一実施形態では、ヘアスタイリングポリマーは、水中に分散したポリウレタンである。こうしたポリウレタンとしては、ＢａｙｅｒからＢａｙｃｕｓａｎ  Ｃ１００８として販売されているものなどの、アジピン酸、１〜６ヘキサンジオール、ネオペンチルグリコール、イソホロンジイソシアネート、イソホロンジアミン、Ｎ−（２−アミノエチル）−３−アミノエタンスルホン酸、ナトリウム塩（別名、ポリウレタン−４８）、及びＡｋｚｏＮｏｂｅｌからＤｙｎａｍＸ  Ｈ２０の名称で混合物として販売されているものなどの、イソホロンジイソシアネート、ジメチロールプロピオン酸、４，４−イソプロピリデンジフェノール／プロピレンオキシド／エチレンオキシド（別名、ポリウレタン−１４）などが挙げられる。
【００５７】
一実施形態では、ヘアスタイリングポリマーは非イオン性ヘアスタイリングポリマー、又は非イオン性ヘアスタイリングポリマーの混合物である。好適な合成非イオン性ヘアスタイリングポリマーとしては、（ａ）ビニルピロリドン、ポリエチレングリコールなどのポリアルキレングリコール上にグラフト化されたビニルエステル、ポリエチレングリコール又はアクリルアミドなどのポリアルキレングリコール上にグラフト化されたアクリレートエステルの主モノマーのうちの少なくとも１つと、（ｂ）ビニルエステル（例えば酢酸ビニル又はプロピオン酸ビニル、ビニル−ｔｅｒｔ−ブチル−ベンゾエート）、アルキルアクリルアミン（例えば、ｔｅｒｔ−ブチルアミノ−エチルメタクリレート、ジメチルアミノエチルメタクリレート）、ビニルカプロラクタム、ヒドロキシアルキル化アクリルアミド、アミノアルキル化アクリルアミド（例えば、ジメチルアミノプロピルメタクリルアミド）、ビニルエーテル、アルキルマレイミド、ヒドロキシアルキルマレイミド（例えば、エチル／エタノールマレイミド）などの１つ又は２つ以上のその他のモノマーと、を含むホモポリマー及びコポリマーが挙げられる。
【００５８】
一実施形態では、非イオン性ヘアスタイリングポリマーは、好ましくは、ビニルピロリドン／ビニルアセテートコポリマー（ＢＡＳＦからＬＵＶＩＳＫＯＬ  ＶＡ  ６４として販売されているものなど、及びＡｓｈｌａｎｄからＰＶＰＫ３０として販売されているものなどのビニルピロリドンホモポリマーなど）から選択される。
【００５９】
一実施形態では、非イオン性ヘアスタイリングポリマーは、ヒドロキシアルキルセルロースなどのセルロース誘導体（例えば、ヒドロキシメチル−、ヒドロキシエチル−、又はヒドロキシプロピルセルロース）及びデンプンである、水溶性天然ポリマーである。
【００６０】
一実施形態では、ヘアスタイリングポリマーは両性ヘアスタイリングポリマー、又は両性ヘアスタイリングポリマーの混合物である。好適な合成両性ヘアスタイリングポリマーとしては、モノマーのような酸及び塩基、カルボキシベタイン又はスルホベタイン双性イオンモノマー、並びにアルキルアミンオキシドアクリレートモノマーを含むものなどが挙げられる。少なくとも１つの実施形態では、両性（amphoteric）は、（ａ）四級化ジアルキルアミノアルキルアクリルアミド（例えば、四級化ジメチルアミノプロピルメタクリルアミド）又は四級化ジアルキルアミノアルキルアクリレート（例えば、四級化ジメチルアミノエチルメタクリレート）などの塩基性窒素原子を含む、少なくとも１つのモノマーと、（ｂ）アクリル酸若しくはメタクリル酸若しくはクロトン酸若しくはそれらの塩、又はＣ４〜Ｃ８モノ不飽和ポリカルボン酸若しくは無水物（例えば、マレイン酸、フマル酸、イタコン酸及びそれらの無水物）などの１つ又は２つ以上のカルボン酸又はスルホン酸基を含む、少なくとも１つの酸モノマーと、（ｃ）アクリルアミド、低級アルキル基（Ｃ１〜Ｃ４）によって窒素と置換されても置換されなくてもよいメタクリルアミド（例えば、Ｎ−ｔｅｒｔ−ブチルアクリルアミド）、ビニルピロリドン又はビニルカプロラクタムなどのビニルラクタム、アクリル酸及び／又はメタクリル酸のエステル（例えば、Ｃ１〜Ｃ４アルキルアクリレート、メチルアクリレート、エチルアクリレート、ｔｅｒｔ−ブチルアクリレート及びこれらのメタクリレート誘導体）、ポリエチレングリコールなどのポリアルキレングリコール上にグラフト化されたアクリレートエステル（例えば、ポリ（エチレングリコール）アクリレート）、ヒドロキシエステルアクリレート（例えば、ヒドロキシエチルメタクリレート）、ヒドロキシアルキル化アクリルアミド、アミノアルキル化アクリルアミド（例えば、ジメチルアミノプロピルメタクリルアミド）、アルキルアクリルアミン（例えば、ｔｅｒｔ−ブチルアミノ−エチルメタクリレート、ジメチルアミノエチルメタクリレート）、アルキルエーテルアクリレート（例えば、２−エトキシエチルアクリレート）、エチレン、スチレンなどのモノエチレン性モノマー、ビニルエステル（例えば、ビニルアセテート又はビニルプロピオネート、ビニル−ｔｅｒｔ−ブチル−ベンゾエート）、ポリエチレングリコールなどのポリアルキレングリコール上にグラフト化されたビニルエステル、ビニルエーテル、ハロゲン化ビニル、フェニルビニル誘導体、アリルエステル又はメタリルエステルから選択される１つ又は２つ以上のモノマーと、を含む。一実施形態では、両性ヘアスタイリングポリマーは、カルボキシベタインメタクリレート及びスルホベタインメタクリレートなどの少なくとも１つのカルボキシベタイン、又はスルホベタインの双性イオンモノマーを含む。少なくとも１つの実施形態では、両性ヘアスタイリングポリマーは、（ａ）カルボキシベタインメタクリレート及びスルホベタインメタクリレートなどの少なくとも１つのカルボキシベタイン又はスルホベタイン双性イオンモノマーと、（ｂ）アクリルアミド、低級アルキル基（Ｃ１〜Ｃ４）によって窒素と置換されても置換され��くてもよいメタクリルアミド（例えば、Ｎ−ｔｅｒｔブチルアクリルアミド）、ビニルピロリドン又はビニルカプロラクタムなどのビニルラクタム、アクリル酸及び／又はメタクリル酸のエステル（例えば、Ｃ１〜Ｃ４アルキルアクリレート、メチルアクリレート、エチルアクリレート、ｔｅｒｔ−ブチルアクリレート及びこれらのメタクリレート誘導体）、ポリエチレングリコールなどのポリアルキレングリコール上にグラフト化されたアクリレートエステル（例えば、ポリ（エチレングリコール）アクリレート）、ヒドロキシエステルアクリレート（例えば、ヒドロキシエチルメタクリレート）、ヒドロキシアルキル化アクリルアミド、アミノアルキル化アクリルアミド（例えば、ジメチルアミノプロピルメタクリルアミド）、アルキルアクリルアミン（例えば、ｔｅｒｔ−ブチルアミノ−エチルメタクリレート、ジメチルアミノエチルメタクリレート）、アルキルエーテルアクリレート（例えば、２−エトキシエチルアクリレート）、エチレン、スチレンなどのモノエチレン性モノマー、ビニルエステル（例えば、ビニルアセテート又はビニルプロピオネート、ビニル−ｔｅｒｔ−ブチル−ベンゾエート）、ポリエチレングリコールなどのポリアルキレングリコール上にグラフト化されたビニルエステル、ビニルエーテル、ハロゲン化ビニル、フェニルビニル誘導体、アリルエステル又はメタリルエステルからなる群から選択されるモノマーと、を含む。少なくとも１つの実施形態では、両性ヘアスタイリングポリマーは少なくとも１つのアルキルアミンオキシドアクリレートを含む。少なくとも１つの実施形態では、両性ヘアスタイリングポリマーは、（ａ）エチルアミンオキシドメタクリレートと、（ｂ）アクリルアミド、低級アルキル基（Ｃ１〜Ｃ４）によって窒素と置換されても置換されなくてもよいメタクリルアミド（例えば、Ｎ−ｔｅｒｔブチルアクリルアミド）、ビニルピロリドン又はビニルカプロラクタムなどのビニルラクタム、アクリル酸及び／又はメタクリル酸のエステル（例えば、Ｃ１〜Ｃ４アルキルアクリレート、メチルアクリレート、エチルアクリレート、ｔｅｒｔ−ブチルアクリレート及びこれらのメタクリレート誘導体）、ポリエチレングリコールなどのポリアルキレングリコール上にグラフト化されたアクリレートエステル（例えば、ポリ（エチレングリコール）アクリレート）、ヒドロキシエステルアクリレート（例えば、ヒドロキシエチルメタクリレート）、ヒドロキシアルキル化アクリルアミド、アミノアルキル化アクリルアミド（例えば、ジメチルアミノプロピルメタクリルアミド）、アルキルアクリルアミン（例えば、ｔｅｒｔ−ブチルアミノ−エチルメタクリレート、ジメチルアミノエチルメタクリレート）、アルキルエーテルアクリレート（例えば、２−エトキシエチルアクリレート）、エチレン、スチレンなどのモノエチレン性モノマー、ビニルエステル（例えば、ビニルアセテート又はビニルプロピオネート、ビニル−ｔｅｒｔ−ブチル−ベンゾエート）、ポリエチレングリコールなどのポリアルキレングリコール上にグラフト化されたビニルエステル、ビニルエーテル、ハロゲン化ビニル、フェニルビニル誘導体、アリルエステル又はメタリルエステルからなる群から��択されるモノマーと、を含む。こうした両性ヘアスタイリングポリマーの例は、ＣｌａｒｉａｎｔからＤｉａｆｏｒｍｅｒ  Ｚ７３１Ｎとして販売されているアクリレート／エチルアミンオキシドメタクリレートである。
【００６１】
一実施形態では、ヘアスタイリングポリマーは、（メタ）アクリル酸又はそれらの単純なエステルのうちの１つからなる２つ以上のモノマーのアクリレートコポリマー、オクチルアクリルアミド／アクリレート／ブチルアミノエチルメタクリレートコポリマー、ブチルアクリレート、メチルメタクリレート、メタクリル酸、エチルアクリレート及びヒドロキシエチルメタクリレートのアクリレート／ヒドロキシエステルアクリレートコポリマー、ポリウレタン−１４／ＡＭＰ−アクリレートコポリマーブレンド、並びにこれらの混合物からなる群から選択される。
【００６２】
一実施形態では、ヘアスタイリング配合物は、非水溶性ポリマー、特に非水溶性ヘアスタイリングポリマーを実質的に含まない場合がある。水混和性でないポリマーは、本発明では避けるべきである。高分子量ポリマー（＞２００，０００ｇ／モル）は、ヘアスタイリング配合物が粘度要件を超えないように極めて低濃度のみで用いるべきである。一実施形態では、ポリマーは水溶性であり得る。少なくとも１つの実施形態では、ヘアスタイリング配合物は、２００，０００ｇ／モルを超える分子量を有するポリマーを実質的に含まない。少なくとも１つの実施形態では、ヘアスタイリング配合物は、少なくとも２つの疎水性長鎖（例えば１０炭素以上の直鎖脂肪鎖）のグラフトを含むポリマーを実質的に含まない。このようなグラフトを備えるポリマーは、毛髪に供給される膜の強度に貢献せずに粘度を増加させ得る、ヘアスタイリング配合物の結合性相互作用を生じる可能性がある。
【００６３】
任意成分
一実施形態では、ヘアスタイリング配合物は、パンテノール化合物及び／又はシリコーン化合物を含み得る。一実施形態において、パンテノール化合物は、パンテノール、パントテン酸誘導体、及びこれらの混合物からなる群から選択される。少なくとも１つの実施形態では、パンテノール化合物は、Ｄ−パンテノール（［Ｒ］−２，４−ジヒドロキシ−Ｎ−［３−１５−（ヒドロキシプロピル）］−３，３−ジメチルブタミド）、Ｄ／Ｌ−パンテノール、パントテン酸及びこれらの塩、パンテニルトリアセテート、ローヤルゼリー、パンテタイン（panthetine）、パントテイン、パンテニルエチルエーテル、パンガミン酸、パントイルラクトース、ビタミンＢ複合体、並びにこれらの混合物からなる群から選択される。パンテノール化合物は、優れた毛髪の外観及び感触の利点を提供するという点で有用であり得る。ヘアスタイリング配合物は、ヘアスタイリング配合物及び噴射剤の総重量の約０．１重量％〜約０．６重量％、又は約０．１重量％〜約０．３重量％のパンテノール化合物を含み得る。少なくとも１つの実施形態では、ヘアスタイリング配合物はシリコーン化合物を含む。シリコーンは、毛髪に滑らかな感触、及び更に光沢を与えるため有用であり得る。少なくとも１つの実施形態では、シリコーン化合物はジメチコーン化合物である。少なくとも１つの実施形態では、シリコーン化合物は、ＰＥＧジメチコーン、例えばＰＥＧ−１２ジメチコーンである。
【００６４】
ヘアスタイリング配合物は、界面活性剤を更に含み得る。ヘアスタイリング配合物は、ヘアスタイリング配合物及び噴射剤の総重量に対して１重量％以下、又は０．６重量％以下、又は０．４重量％以下、又は０．３重量％以下の界面活性剤を含み得る。少なくとも１つの実施形態では、界面活性剤は、カチオン性界面活性剤、非イオン性界面活性剤、アニオン性界面活性剤、及びこれらの混合物からなる群から選択される。カチオン性界面活性剤は、セトリモニウムクロリド（例えば、ＫａｏのＱｕａｒｔａｍｉｎ  ６０Ｌ−Ｇ、ＤＥＨＹＱＵＡＲＴ  Ａ−ＣＡ／ＤＥＴＥＸ、ＡＲＱＵＡＤ  １６−２５  ＬＯ）、コカミドプロピルヒドロキシスルタイン（例えば、ＲＥＷＯＴＥＲＩＣ  ＡＭ  ＣＡＳ）、コカミドプロピルベタイン（例えば、ＴＥＧＯ  ＢＥＴＡＩＮ  Ｆ  ５０）、ベタイン、及びこれらの混合物からなる群から選択され得る。非イオン性界面活性剤は、ヒマシ油ＰＥＧ−４０  Ｈ（例えば、ＮＥＯＤＯＬ１０  ９１−８）、ラウレス−４（例えば、ＤＥＨＹＤＯＬ  ＬＳ  ４  ＤＥＯ  Ｎ）、ラウレス−９、デシルグルコシド（例えば、Ｐｌａｎｔａｃａｒｅ  ２０００）、ポリソルベート２０（例えば、ＵＮＩＱＥＭＡのＴＷＥＥＮ  ２０  ＰＨＡＲＭＡ）、ＰＥＧ−２５硬化ヒマシ油（例えば、ＳＥＰＰＩＣのＳＩＭＵＬＳＯＬ  １２９２  ＤＦ）、ＰＥＧ−４０硬化ヒマシ油（例えば、ＢＡＳＦのＣＲＥＭＯＰＨＯＲ  ＣＯ  ４１０）、ＰＰＧ−１−ＰＥＧ−９−ラウリルグリコールエーテル（例えば、Ｅｕｍｕｌｇｉｎ  Ｌ）、シロキサンポリアルキレンオキシドコポリマー（ＭｏｍｅｎｔｉｖｅのＳｉｌｗｅｔ（登録商標）Ｌ７６０４）、及び、ポリジメチルシロキサンメチルエトキシレート（ＭｏｍｅｎｔｉｖｅのＳｉｌｗｅｔ（登録商標）Ｌ７６００）、並びにこれらの混合物からなる群から選択され得る。好適なアニオン性界面活性剤は、ジオクチルナトリウムスルホスクシネート（ＤＯＳＳ又は１，４−ジオクトキシ−１，４−ジオキソブタン−２−スルホン酸）であり、これらの一例は、ＣｙｔｅｃのエアロゾルＯＴ−７０  ＰＧである。少なくとも１つの実施形態では、界面活性剤は、ヒマシ油ＰＥＧ−４０  Ｈ、セトリモニウムクロリド、ラウレス−４、ラウレス−９、デシルグルコシド、コカミドプロピルヒドロキシスルタイン、ポリソルベート２０、シロキサンポリアルキレンオキシドコポリマー、ジオクチルナトリウムスルホスクシネート、及びこれらの混合物からなる群から選択される。
【００６５】
一実施形態では、ヘアスタイリング配合物は中和剤を含み得る。好適な中和剤としては、水酸化カリウム、水酸化ナトリウム、トリイソプロパノールアミン（ＴＩＰＡ）、２−アミノブタノール、２−アミノメチルプロパノール（ＡＭＰ）、アミノエチルプロパンジオール、ジメチルステアラミン（Ａｒｍｅｅｎ  １８  Ｄ）、ケイ酸ナトリウム、テトラヒドロキシプロピルエチレンジアミン（Ｎｅｕｔｒｏｌ（登録商標）ＴＥ）、アンモニア（ＮＨ３）、トリエタノールアミン、トリメチルアミン（Ｔｒｉｓ  ＡｍｉｎｏＵｌｔｒａ）、アミノメチルプロパンジオール（ＡＭＰＤ）が挙げられる。少なくとも１つの実施形態では、中和剤は２−アミノブタノール、アンモニア、又は２−アミノメチルプロパノールである。
【００６６】
一実施形態では、ヘアスタイリング配合物は、１つ又は２つ以上の香料マイクロカプセルを含み得る。
【００６７】
ヘアスタイリング配合物は、少なくとも１種の防腐剤を含んでいてもよい。防腐剤は、ヘアスタイリング配合物及び噴射剤の総重量の約１．５重量％未満、又は０重量％〜１重量％、又は０．０１重量％〜１重量％の量で存在し得る。好適な防腐剤としては、フェノキシエタノール（例えば、Ｅｕｘｙｌ（登録商標）ＰＥ  ９０１０）、ベンジルアルコール、プロピレングリコール、ＰＨＭＢ（ポリ−アミノプロピルビグアニド）、ＩＳＰのＯｐｔｉｐｈｅｎ（フェノキシエタノール＋カプリリルグリコール）、ＳｙｍｒｉｓｅのＳｙｍｔｒｉｏｌ（１，２−オクタンジオール及び１，２−ヘキサンジオール、メチルベンジルアルコール）、オクチルサリチレート、１，３−ビス（ヒドロキシメチル）−５，５−ジメチルイミダゾリジン−２，４−ジオン（ＤＭＤＭヒダントイン、Ｎｉｐａｇｕａｒｄ（登録商標）ＤＭＤＭＨ（Ｃｌａｒｉａｎｔ））、ＥＤＴＡ（Ｒｅｘａｔ）、ブチレングリコール（Ｄｅｋａｂｅｎ  ＬＭＢ）、及びパラベンタイプ、例えば、メチルパラベン（例えば、Ｓｃｈｕｔｚ  ＆  Ｃｏ．若しくはＳＬＩ  ＣｈｅｍｉｃａｌｓのＰＨＢメチルエステル、又はＮｉｐａｇｉｎ（登録商標）Ｍ）、プロピルパラベン（Ｓｏｌｖａｄｉｓ  ＳｐｅｃｉａｌｔｉｅｓのＰＨＢ−プロピルエステル）が挙げられる。
【００６８】
ヘアスタイリング配合物は、少なくとも１つの香料又は芳香剤を更に含んでもよい。ヘアスタイリング配合物は、最大でヘアスタイリング配合物及び噴射剤の総重量の約０．５重量％、約０重量％〜約０．４重量％、又は約０．０３重量％〜約０．３重量％の香料又は芳香剤を含んでもよい。
【００６９】
少なくとも１つの実施形態では、ヘアスタイリング配合物は腐食防止剤を含み得る。少なくとも１つの実施形態では、腐食防止剤はＥＤＴＡである。
【００７０】
ヘアスタイリング配合物は、ビタミンＢ１、Ｂ２、Ｂ６、Ｂ１２、Ｃなどの水溶性ビタミン、パントテン酸、パントテニルエチルエーテル、パンテノール、ビオチン、及びこれらの誘導体、アスパラギン、アラニン、インドール、グルタミン酸などの水溶性アミノ酸及びこれらの塩、ビタミンＡ、Ｄ、Ｅなどの非水溶性ビタミン、並びにこれらの塩及び／又は誘導体、チロシン、トリプタミンなどの非水溶性アミノ酸、粘度変性剤、染料、不揮発性溶媒又は希釈剤（水溶性及び非水溶性）、真珠光沢助剤、発泡促進剤、追加の界面活性剤又は非イオン性共界面活性剤、殺シラミ薬（pediculocides）、ｐＨ調整剤、香料、防腐剤、キレート剤、タンパク質、皮膚活性剤、日焼け止め剤、紫外線吸収剤、ビタミン類、ナイアシンアミド、カフェイン、並びにミノキシジルなどのビタミン及びアミノ酸を更に含んでもよい。ヘアスタイリング配合物は、ヘアスタイリング配合物及び噴射剤の総重量の約０．０１重量％〜約５重量％のビタミン及び／又はアミノ酸を含んでもよい。ヘアスタイリング配合物は、無機色素、ニトロソ、モノアゾ、ジアゾ化合物、カロテノイド、トリフェニルメタン、トリアリールメタン、キノリン、オキサジン、アジン、又はアントラキノン型化学物質、及びインジゴイド、チオンインジゴイド、キナクリドン、フタロシアニン、植物色、天然色である化合物、並びに水溶性成分などの色素材料を更に含んでもよい。ヘアスタイリング配合物は、ヘアスタイリング配合物及び噴射剤の総重量の約０．０００１重量％〜約５重量％の色素材料を含み得る。ヘアスタイリング配合物は、更に、化粧品用の殺生物剤として有用な抗菌剤を含有し得る。ヘアスタイリング配合物は、ヘアスタイリング配合物及び噴射剤の総重量の約０．０１重量％〜約５重量％の抗菌剤を含み得る。
【００７１】
噴射剤
エアロゾルヘアスプレー製品は、ヘアスタイリング配合物及びジメチルエーテル噴射剤の総重量の約３０重量％〜約６０重量％、あるいは約３５重量％〜約５５重量％、あるいは約４０重量％〜約５０重量％のジメチルエーテル噴射剤を含み得る。ジメチルエーテルは、ヘアスタイリング配合物と均質な（homoegeous）溶液を形成する点で本発明において有用となり得る。
【００７２】
一実施形態では、ジメチルエーテル噴射剤及びヘアスタイリング配合物は、リザーバ内で相互に自在に連通する。一実施形態では、液化ガス噴射剤及びヘアスタイリング配合物は、別個の区画内に保管されない。
【００７３】
エアロゾルヘアスプレー製品は、リザーバ（１２０）を封入する容器壁部（１１０）を備える容器（１００）を備える。リザーバ（１２０）内の圧力は、圧力計（ＧＣＡＳ  ＃６０００１４３９）で測定することができる。一実施形態では、容器内の圧力は、２０℃で測定して、約０．１ＭＰａ〜約０．７ＭＰａ（約１ｂａｒ〜約７ｂａｒ）、又は約０．１５ＭＰａ〜約０．５ＭＰａ（約１．５ｂａｒ〜約５ｂａｒ）である。
【００７４】
スプレー装置
エアロゾルヘアスプレー製品は、容器（１００）のリザーバ（１２０）からヘアスタイリング配合物（１８０）を分配するために容器（１００）に取り付けられたスプレー装置（２００）を備え、スプレー装置（２００）がリザーバ（１２０）と流体接続し、スプレー装置（２００）がスプレー作動装置（１５０）及びバルブ（１３０）を備え、バルブ（１３０）がバルブハウジング（１４０）を備え、バルブハウジング（１４０）が蒸気タップ（１６０）を備え、蒸気タップ（１６０）が蒸気タップ領域を備え、ディップチューブ（１７０）がバルブ（１３０）と流体接続し、ディップチューブ（１７０）がディップチューブ開口部（１７５）を備え、ディップチューブ開口部（１７５）がディップチューブ開口部領域を備え、蒸気タップ領域とディップチューブ開口部領域との比が、約０．００５〜約０．１５、あるいは約０．００６〜約０．１２５、あるいは約０．００７〜約０．１、あるいは約０．００８〜約０．０９、あるいは約０．００９〜約０．０８、あるいは約０．００９５〜約０．０７である。一実施形態では、蒸気タップ領域とディップチューブ開口部領域との比は、約０．０６３又は約０．０１１である。
【００７５】
蒸気タップ領域とディップチューブ開口部領域との比は、目詰まりを防ぎ、許容可能なスプレー液滴粒径を維持するために重要であり得る。
【００７６】
一実施形態では、バルブハウジング（１４０）は、２つ以上の蒸気タップ（１６０）を含まない。
【００７７】
方法
一実施形態では、（ａ）エアロゾルヘアスプレー製品を提供することであって、（１）リザーバ（１２０）を封入する容器壁部（１１０）を備える容器（１００）であって、リザーバ（１２０）は、ヘアスタイリング配合物及びジメチルエーテル噴射剤の総重量の約４０重量％〜約７０重量％のヘアスタイリング配合物、及び約３０重量％〜約６０重量％のジメチルエーテル噴射剤を含み、（２）ヘアスタイリング配合物が、（ｉ）ヘアスタイリング配合物及びジメチルエーテル噴射剤の総重量の約３０重量％〜６０重量％の水と、（ｉｉ）ヘアスタイリング配合物及びジメチルエーテル噴射剤の総重量の約５重量％〜約１５重量％の１つ又は２つ以上のヘアスタイリングポリマーであって、ヘアスタイリングポリマーが水溶性であり、かつ２００，０００ｇ／ｍｏｌ未満の分子量を有する、ヘアスタイリングポリマーと、（ｉｉｉ）ヘアスタイリング配合物及びジメチルエーテル噴射剤の総重量の約０．０５重量％〜約２重量％のアルコールと、を含み、かつ（ｉｖ）エタノールを実質的に含まず、ヘアスタイリング配合物が約２．５ｍｍ２／秒〜約５．５ｍｍ２／秒（２．５ｃＳｔ〜約５．５ｃＳｔ）の粘度を有する、容器（１００）と、（３）容器（１００）のリザーバ（１２０）からヘアスタイリング配合物を分配するために容器（１００）に取り付けられたスプレー装置（２００）であって、スプレー装置（２００）がリザーバ（１２０）と流体接続し、スプレー装置（２００）がスプレー作動装置（１５０）及びバルブ（１３０）を備え、バルブ（１３０）がバルブハウジング（１４０）を備え、バルブハウジング（１４０）が蒸気タップ（１６０）を備え、蒸気タップ（１６０）が蒸気タップ領域を備え、ディップチューブ（１７０）がバルブ（１３０）と流体接続し、ディップチューブ（１７０）がディップチューブ開口部（１７５）を備え、ディップチューブ開口部（１７５）がディップチューブ開口部領域を備え、蒸気タップ領域とディップチューブ開口部領域との比が約０．００５〜約０．１５であるスプレー装置（２００）と、を含む、ことと、（ｃ）エアロゾルヘアスプレー製品をある送出量で噴霧させることであって、送出量が約０．２８ｇ／秒〜約０．４５ｇ／秒であり、放出される組成物が噴霧され、放出される組成物が約４０マイクロメートル〜約１００マイクロメートルのＤｖ５０液滴粒径及び約１６０マイクロメートル〜約３００マイクロメートルのＤｖ９０液滴粒径を有する粒子を含む、ことと、を含むヘアスタイリング法が提供される。
【実施例】
【００７８】
以下の実施例は、本発明の範囲内にある実施形態を更に説明及び実証する。これらの実施例は、例示目的のためにのみ提供され、本発明の趣旨及び範囲から逸脱することなくそれらの多くの変更が可能であることから、本発明を限定するものとして解釈されるべきではない。
【００７９】
【表１】
2020059554.tif 000003
凡例：１＝Ｂａｌａｎｃｅ  ＣＲ、２＝ＤｙｎａｍＸ  Ｈ２０、３＝Ａｃｕｄｙｎｅ  １０００、４＝Ａｍｐｈｏｍｅｒ、５＝Ｌｕｖｉｓｋｏｌ  ＶＡ６４、６＝Ｌｕｖｉｑｕａｔ  ＦＣ５５０、７＝Ｈｙｄａｇｅｎ（登録商標）ＨＣＭＦ、８＝Ｃｅｌｑｕａｔ  Ｌ−２００。
【００８０】
表１の実施例は、従来のヘアスタイリング配合物及び製品の製造方法を用いて製造できる。
【００８１】
データ
【００８２】
【表２】
2020059554.tif 000004
【００８３】
本明細書で説明する蒸気タップ領域対ディップチューブ開口部領域（ＶＴ／ＤＴ）比は、より大きなＶＴ／ＤＴと比較して、目詰まりを全く生じさせない（図３）。タイプ３又は４の目詰まりは、作動装置を押した時に、噴霧が作動装置から出てこない場合のものである。小さな蒸気タップと比較して目詰まりの可能性を低減させるために、多量の蒸気性噴射剤を流路に送達する大きな蒸気タップが予想されるため、これは驚くべきことである。しかしながら、データは、噴霧するごとに、より少量の蒸気性噴射剤、及びより多量の液体噴射剤を流路に導入することで、残留するヘアスプレー材料の全てをより効率的に除去することを示している。これは、流路中により多くの液体噴射剤が存在すると、排出時にその体積の数百倍に蒸発して、目詰まりを起こす可能性のある材料を全て除去するという原理に基づいている。ヘアスプレー作動装置のボタンが押されると、ディップチューブは液体噴射剤を流路に導入し、蒸気タップは蒸気性の噴射剤を同じ流路に導入する。この比のバランスを取ることで、目詰まりが除去され、缶の耐用期間が向上する。本明細書で説明したＶＴ／ＤＴ領域を維持することで、より高い比である場合に発生する目詰まりは排除される。
【００８４】
エアロゾルスプレー目詰まり測定法
この常法の目的は、エアロゾルの目詰まりの発生率及び程度を判定することである。最少で１０の複製缶を、最低で１時間、２１℃にコンディショニングする。試験は室温（２０〜２４℃）で実施する。複製缶はそれぞれ５〜１０秒間噴霧する。噴霧後２４時間は缶を動揺させない。２４時間後、作動装置をしっかりと押し下げ、以下の表に従って目詰まり程度の等級を割り当てることにより目詰まり評価を判定する。
【００８５】
【表３】
2020059554.tif 000005
【００８６】
最初に缶が噴霧を全く生成しない場合、ａ）缶を１０回作動させ、ｂ）作動装置を温水ですすぐ。これらの処置のいずれもが噴霧を回復させない場合、缶を完全な目詰まりであるとみなして試験から排除する。少なくとも２週間の期間にわたり、複製缶の同じセットに対してこの試験を２４時間毎に繰り返す。
【００８７】
本明細書に記載のＶＴ領域／ＤＴ開口部領域比は、缶の耐用期間全体を通して、各噴霧でより均一かつ目標量の濃縮物及び噴射剤を送出することができる。下記の図４は、このＶＴ／ＤＴ領域比は、缶の耐用期間全体を通して、各噴霧でより均一かつ目標量の濃縮物及び噴射剤を送出することを示す。同じ配合物で同じ充填比の場合、より大きなＶＴ／ＤＴ領域比は、高い目詰まりの発生率に加えて、缶の耐用期間の大半にわたり、目標を下回る濃縮物濃度をもたらす。エアロゾル製品の濃縮液は、どれだけの量を缶に充填でき、かつ分配できるかを考慮して設計される。例えば、ヘアスプレーから５％のポリマーを送出し、かつ最終エアロゾルに５０％の液体濃縮物及び５０％の噴射剤を充填することが望まれる場合、充填までの液体濃縮物は、ポリマー濃度を１０％にして、目標の５％を送出するように調製される。したがって、確実に目標の充填比とすることは、意図された性能のために不可欠である。最終製品缶から分配される液体濃縮物と噴射剤との比を、「濃縮物噴霧量測定法（ConcentrateSpray Rate Measurement Method）」を用いて測定した。
【００８８】
濃縮物噴霧量測定法
この試験方法は、噴射剤が濃縮物と恒久的に混合され、バルブが蒸気タップを利用するエアロゾル製品の液体濃縮物噴霧量を判定するために用いられ得る。試験中、製品はプラスチック袋内に分配する。すると噴射剤は蒸発して濃縮物だけが残り、これを秤量によって計量する。手順：
・製品を２１＋／−１℃に設定された水浴内に５分間定置する。
・製品を水浴から取り出して乾燥させる。
・製品の初期重量（Ｓ１）を記録し、プラスチック袋の初期重量（Ｃ１）を記録する。
・プラスチック袋を完全に開いてその中に製品を噴霧するための大きなポケットを作り、続いてプラスチック袋を閉じて、５センチメートル（２インチ）の孔だけを開けたままにする（これは、袋内に噴霧した後の濃縮物が袋の外に出ることを制限する）。
・製品を手で１０秒間激しく振盪させて、缶中で濃縮物と噴射剤とが均質に分布することを確実にする。
・プラスチック袋の小開口部内に５秒間噴霧する（開口部を可能な限り缶に近づけた状態を維持して、全ての製品が袋内に噴霧されることを確実にして、袋を閉じた状態に保つ）。
・プラスチック袋（plastic bad）を、開口部を上に向けた状態で１５秒間保持して、最大量の濃縮物を袋の裏地上に沈殿させる。
・プラスチック袋をゆっくりと開いて、噴射剤を袋から蒸発させる。
・袋を折り畳んで重量（Ｃ２）を記録し、噴霧後の缶の重量（Ｓ２）を記録する。
【００８９】
計算：
合計噴霧量（Ｓ）：（Ｓ２−Ｓ１）／５秒＝Ｓ（ｇ／秒）
濃縮物噴霧量（Ｃ）：（Ｃ２−Ｃ１）／５秒＝Ｃ（ｇ／秒）
バルブバランス（％）：Ｃ／Ｓ＊缶に充填された噴射剤（％）
【００９０】
ここで図４を参照すると、図４は、同じ充填比（５０／５０）の同じ濃縮物の場合、より大きなＶＴ／ＤＴ領域比は、缶の開始から終了まで、不均一で、かつ目標外の量の噴射剤及び濃縮物を送出することを示す。
【００９１】
【表４】
2020059554.tif 000006
【００９２】
ここで図５を参照すると、図５は、より小さな蒸気タップ領域の範囲内では、濃縮物％を所望されるレーン（rane）範囲の上限まで上げることで、〜６０Ｃ／４０Ｐの目標比を依然としてもたらしながらも、ポリマー濃度を低下させる（その結果、粘度がより低くなる）ことを示す。
【００９３】
ここで図６を参照すると、図６は、所望のＶＴ／ＤＴ領域の範囲内におけるより低い濃縮物粘度における６０Ｃ／４０Ｐ比では、缶の耐用期間全体にわたって、目標量が送出され、目詰まりが全くなくなり、また、全体的なＤｖ５０及びＤｖ９０液滴粒径が最小となることを示す。
【００９４】
この選択肢は、更に、製品スプレーの端部でボタンが解放された時の顕著な吹き出しを排除する。この吹き出しの低減は、噴射剤の放出の強さ及び分配時の濃縮物の濃さを低減させる、流路内に存在する液体噴射剤がより少ないこと、及び分配時に濃縮物がより薄いことの結果である。更に、これらの２つの特徴は、変形した噴霧の発生率も低減させる。
【００９５】
ここで図７を参照すると、図７は、目標送出比及び濃縮物粘度を備えるＶＴ／ＤＴ領域比の範囲によって実現される、より少ないカットオフ及び吹き出し／噴霧の変形を示す。
【００９６】
下記の表５は、実験データを提供するために試験された充填比及びＶＴ／ＤＴ比でのアルコール非含有ヘアスプレー配合物を示す。
【００９７】
【表５】
2020059554.tif 000007
凡例：１＝Ｂａｌａｎｃｅ  ＣＲ、２＝ＤｙｎａｍＸ  Ｈ２０、３＝Ａｃｕｄｙｎｅ  １０００
【００９８】
本明細書に開示した寸法及び値は、記載された正確な数値に厳密に限定されるものと理解されるべきではない。むしろ、特に指示がない限り、そのような各寸法は、記載された値及びその値の周辺の機能的に同等の範囲の両方を意味するものとする。例えば「４０ｍｍ」として開示される寸法は、「約４０ｍｍ」を意味するものとする。
【００９９】
相互参照される又は関連する特許又は出願等の、本願に引用される全ての文書は、明示的に除外される、又は別途限定されない限り、参照によりその全体が本願に援用される。いかなる文献の引用も、本明細書中で開示又は特許請求される任意の発明に対する先行技術であるとはみなされず、あるいはそれを単独で又は他の任意の参考文献（単数又は複数）と組み合わせた時に、そのような任意の発明を教示、示唆、又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０１００】
本発明の特定の実施形態を例示及び説明してきたが、本発明の趣旨及び範囲から逸脱せずに、他の様々な変更及び修正を行うことができることは当業者には明白であろう。したがって、本発明の範囲内に含まれるそのような全ての変更及び修正は、添付の特許請求の範囲にて網羅することを意図したものである。
【図１】
2020059554.tif 000008
【図２】
2020059554.tif 000009
【図３】
2020059554.tif 000010
【図４】
2020059554.tif 000011
【図５】
2020059554.tif 000012
【図６】
2020059554.tif 000013
【図７】
2020059554.tif 000014
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
ｉ．リザーバ（１２０）を封入する容器壁部（１１０）を備える容器（１００）であって、前記リザーバ（１２０）は、ヘアスタイリング配合物及びジメチルエーテル噴射剤の総重量の４０重量％〜７０重量％の前記ヘアスタイリング配合物、及び３０重量％〜６０重量％の前記ジメチルエーテル噴射剤を含み、
ｉｉ．前記ヘアスタイリング配合物が、
（ａ）前記ヘアスタイリング配合物及び前記ジメチルエーテル噴射剤の総重量の３０重量％〜６０重量％の水と、
（ｂ）前記ヘアスタイリング配合物及び前記ジメチルエーテル噴射剤の総重量の５重量％〜１５重量％の１つ又は２つ以上のヘアスタイリングポリマーであって、前記ヘアスタイリングポリマーが水溶性であり、かつ２００，０００ｇ／ｍｏｌ未満の分子量を有する、ヘアスタイリングポリマーと、
（ｃ）前記ヘアスタイリング配合物及び前記ジメチルエーテル噴射剤の総重量の０．０５重量％〜２重量％のアルコールと、を含み、かつ
（ｄ）エタノールを実質的に含まず、
前記ヘアスタイリング配合物が２．５ｍｍ２／秒〜５．５ｍｍ２／秒（２．５ｃＳｔ〜５．５ｃＳｔ）の粘度を有する、容器（１００）と、
ｉｉｉ．前記容器（１００）の前記リザーバ（１２０）から前記ヘアスタイリング配合物（１８０）を分配するために前記容器（１００）に取り付けられたスプレー装置（２００）であって、
前記スプレー装置（２００）が前記リザーバ（１２０）と流体接続し、
前記スプレー装置（２００）がスプレー作動装置（１５０）及びバルブ（１３０）を備え、
前記バルブ（１３０）がバルブハウジング（１４０）を備え、
前記バルブハウジング（１４０）が蒸気タップ（１６０）を備え、
前記蒸気タップ（１６０）が蒸気タップ領域を備え、
ディップチューブ（１７０）が前記バルブ（１３０）と流体接続し、
前記ディップチューブ（１７０）がディップチューブ開口部（１７５）を備え、
前記ディップチューブ開口部（１７５）がディップチューブ開口部領域を備え、
前記蒸気タップ領域と前記ディップチューブ開口部領域との比が０．００５〜０．０２２であるスプレー装置（２００）と、を備える、エアロゾルヘアスプレー製品。
【請求項２】
前記１つ又は２つ以上のヘアスタイリングポリマーは、アクリル酸又はメタクリル酸のうちの少なくとも１つのモノマー、及びアクリレートの少なくとも１つのエステルを含有するアクリレートをベースとする系を含む、請求項１に記載のエアロゾルヘアスプレー製品。
【請求項３】
前記１つ又は２つ以上のヘアスタイリングポリマーは、アクリル酸又はメタクリル酸のうちの少なくとも１つのモノマー、アクリレートの少なくとも１つのエステル、及びポリウレタンを含有するアクリレートをベースとする系を含む、請求項１又は２に記載のエアロゾルヘアスプレー製品。
【請求項４】
前記蒸気タップ領域と前記ディップチューブ開口部領域との比が０．００６〜０．０２２である、請求項１〜３のいずれか一項に記載のエアロゾルヘアスプレー製品。
【請求項５】
前記蒸気タップ領域と前記ディップチューブ開口部領域との比が０．００７〜０．０２２である、請求項１〜４のいずれか一項に記載のエアロゾルヘアスプレー製品。
【請求項６】
前記蒸気タップ領域と前記ディップチューブ開口部領域との比が０．００８〜０．０２２である、請求項１〜５のいずれか一項に記載のエアロゾルヘアスプレー製品。
【請求項７】
前記蒸気タップ領域と前記ディップチューブ開口部領域との比が０．００９〜０．０２２である、請求項１〜６のいずれか一項に記載のエアロゾルヘアスプレー製品。
【請求項８】
前記蒸気タップ領域と前記ディップチューブ開口部領域との比が０．００９５〜０．０２２である、請求項１〜７のいずれか一項に記載のエアロゾルヘアスプレー製品。
【請求項９】
前記蒸気タップ領域と前記ディップチューブ開口部領域との比が、０．０１１である、請求項１〜８のいずれか一項に記載のエアロゾルヘアスプレー製品。
【請求項１０】
前記ヘアスタイリング配合物が、前記ヘアスタイリング配合物及び前記ジメチルエーテル噴射剤の総重量の３５重量％〜５５重量％の前記ジメチルエーテル噴射剤を含む、請求項１〜９のいずれか一項に記載のエアロゾルヘアスプレー製品。
【請求項１１】
前記ヘアスタイリング配合物が、前記ヘアスタイリング配合物及び前記ジメチルエーテル噴射剤の総重量の４０重量％〜５０重量％の前記ジメチルエーテル噴射剤を含む、請求項１〜１０のいずれか一項に記載のエアロゾルヘアスプレー製品。
【請求項１２】
前記ヘアスタイリング配合物が、前記ヘアスタイリング配合物及び前記ジメチルエーテル噴射剤の総重量の３５重量％〜６０重量％の前記水を含む、請求項１〜１１のいずれか一項に記載のエアロゾルヘアスプレー製品。
【請求項１３】
前記ヘアスタイリング配合物が、前記ヘアスタイリング配合物及び前記ジメチルエーテル噴射剤の総重量の３９重量％〜５４重量％の前記水を含む、請求項１〜１２のいずれか一項に記載のエアロゾルヘアスプレー製品。
【請求項１４】
前記ヘアスタイリング配合物が、前記ヘアスタイリング配合物及び前記ジメチルエーテル噴射剤の総重量の５重量％〜８重量％の前記１つ又は２つ以上のヘアスタイリングポリマーを含む、請求項１〜１３のいずれか一項に記載のエアロゾルヘアスプレー製品。
【請求項１５】
前記ヘアスタイリング配合物が、前記ヘアスタイリング配合物及び前記ジメチルエーテル噴射剤の総重量の５．８重量％〜７．４重量％の前記１つ又は２つ以上のヘアスタイリングポリマーを含む、請求項１〜１４のいずれか一項に記載のエアロゾルヘアスプレー製品。
【請求項１６】
前記ヘアスタイリング配合物の粘度が、３ｍｍ２／秒〜５ｍｍ２／秒（３ｃＳｔ〜５ｃＳｔ）である、請求項１に記載のエアロゾルヘアスプレー製品。
【請求項１７】
前記ヘアスタイリング配合物が０％の前記エタノールを含む、請求項１〜１６のいずれか一項に記載のエアロゾルヘアスプレー製品。
【請求項１８】
前記バルブハウジングが２つ以上の蒸気タップを含まない、請求項１〜１７のいずれか一項に記載のエアロゾルヘアスプレー製品。
【請求項１９】
（ａ）エアロゾルヘアスプレー製品を提供することであって、
１）リザーバ（１２０）を封入する容器壁部（１１０）を備える容器（１００）であって、前記リザーバ（１２０）は、ヘアスタイリング配合物及びジメチルエーテル噴射剤の総重量の４０重量％〜７０重量％の前記ヘアスタイリング配合物、及び３０重量％〜６０重量％の前記ジメチルエーテル噴射剤を含み、
２）前記ヘアスタイリング配合物が、
ｉ．前記ヘアスタイリング配合物及び前記ジメチルエーテル噴射剤の総重量の３０重量％〜６０重量％の水と、
ｉｉ．前記ヘアスタイリング配合物及び前記ジメチルエーテル噴射剤の総重量の５重量％〜１５重量％のヘアスタイリングポリマーであって、前記ヘアスタイリングポリマーが水溶性であり、かつ２００，０００ｇ／ｍｏｌ未満の分子量を有する、ヘアスタイリングポリマーと、
ｉｉｉ．前記ヘアスタイリング配合物及び前記ジメチルエーテル噴射剤の総重量の０．０５重量％〜２重量％のアルコールと、を含み、かつ
ｉｖ．エタノールを実質的に含まず、
前記ヘアスタイリング配合物が２．５ｍｍ２／秒〜５．５ｍｍ２／秒（２．５ｃＳｔ〜５．５ｃＳｔ）の粘度を有する、容器（１００）と、
３）前記容器（１００）の前記リザーバ（１２０）から前記ヘアスタイリング配合物（１８０）を分配するために前記容器（１００）に取り付けられたスプレー装置（２００）であって、
前記スプレー装置（２００）が前記リザーバ（１２０）と流体接続し、
前記スプレー装置（２００）がスプレー作動装置（１５０）及びバルブ（１３０）を備え、
前記バルブ（１３０）がバルブハウジング（１４０）を備え、
前記バルブハウジング（１４０）が蒸気タップ（１６０）を備え、
前記蒸気タップ（１６０）が蒸気タップ領域を備え、
ディップチューブ（１７０）が前記バルブ（１３０）と流体接続し、
前記ディップチューブ（１７０）がディップチューブ開口部（１７５）を備え、
前記ディップチューブ開口部（１７５）がディップチューブ開口部領域を備え、
前記蒸気タップ領域と前記ディップチューブ開口部領域との比が０．００５〜０．０２２である、スプレー装置（２００）と、を含む、ことと、
（ｂ）前記エアロゾルヘアスプレー製品をある送出量で噴霧させることであって、前記送出量が０．３０ｇ／秒〜０．５０ｇ／秒であり、放出される組成物が噴霧され、前記放出される組成物が４０マイクロメートル〜１００マイクロメートルのＤｖ５０液滴粒径及び１６０マイクロメートル〜３００マイクロメートルのＤｖ９０液滴粒径を有する粒子を含む、ことと、を含むヘアスタイリング法。
【外国語明細書】
2020059554.tif 000015
2020059554.tif 000016
2020059554.tif 000017
2020059554.tif 000018
2020059554.tif 000019
2020059554.tif 000020
2020059554.tif 000021
2020059554.tif 000022
2020059554.tif 000023
2020059554.tif 000024
2020059554.tif 000025
2020059554.tif 000026
2020059554.tif 000027
2020059554.tif 000028
2020059554.tif 000029
2020059554.tif 000030
2020059554.tif 000031
2020059554.tif 000032
2020059554.tif 000033
2020059554.tif 000034
2020059554.tif 000035
2020059554.tif 000036
2020059554.tif 000037
2020059554.tif 000038
2020059554.tif 000039
2020059554.tif 000040
2020059554.tif 000041
2020059554.tif 000042
2020059554.tif 000043
2020059554.tif 000044
2020059554.tif 000045
2020059554.tif 000046
2020059554.tif 000047
2020059554.tif 000048
2020059554.tif 000049
2020059554.tif 000050
2020059554.tif 000051
2020059554.tif 000052
2020059554.tif 000053
2020059554.tif 000054
2020059554.tif 000055
2020059554.tif 000056
2020059554.tif 000057